(57)【特許請求の範囲】
【請求項１】
図柄変動演出を表示可能な演出表示部を備え、当該演出表示部に所定の当り表示が表示されることで当りが生起されるよう構成された遊技機において、
前記演出表示部は、
相対的に近接および離間するよう移動可能な第１の可動部および第２の可動部を備え、当該第１の可動部および第２の可動部の夫々に、図柄変動演出を部分的に表示可能な部分表示部が設けられると共に、当該第１の可動部および第２の可動部に設けられた複数の部分表示部により図柄変動演出を表示する表示部が構成され、
前記第１の可動部および第２の可動部が相対的に近接して各可動部に設けられた前記複数の部分表示部により図柄変動演出を表示可能な第１の表示形態と、当該第１の可動部および第２の可動部が相対的に離間して複数の可動部の間に演出領域が画成される第２の表示形態とに変化するよう構成されると共に、
前記第１の可動部は、基準ベース部と、前記基準ベース部に対して相対的に近接および離間するよう動作可能な可動ベース部とを有し、当該基準ベース部および可動ベース部の夫々に部分表示部が設けられると共に、
前記第１の表示形態において前記第１の可動部の基準ベース部から離間した可動ベース部に対して前記第２の可動部が近接すると共に、当該可動ベース部および第２の可動部の対向部に磁着手段が設けられて、当該磁着手段が磁着することで第１の可動部の可動ベース部および第２の可動部が第１の表示形態で保持されるよう構成され、
前記第２の表示形態において前記第１の可動部の基準ベース部に対して可動ベース部が近接すると共に、当該基準ベース部および可動ベース部の対向部に第２の磁着手段が設けられて、当該第２の磁着手段により基準ベース部および可動ベース部が磁着するよう構成された
ことを特徴とする遊技機。
【発明の詳細な説明】
【技術分野】
【０００１】
本発明は、図柄変動演出が行われる演出表示部に所定の当り表示が表示されることで当りが生起される遊技機に関するものである。
【背景技術】
【０００２】
所定の遊技開始条件の成立を契機として当りを生起させるか否かを判定すると共に、演出表示部において図柄変動演出を表示し、図柄変動演出の結果として、当りを生起させるか否かの判定結果を演出表示部に表示させるよう構成された遊技機が広く知られている。例えば、このような遊技機の一種としてのパチンコ機は、遊技店の図示しない設置枠台に設置される固定枠としての外枠に、遊技盤や制御装置等の各種部材が設置される本体枠としての中枠を開閉可能に組み付けると共に、該遊技盤を透視保護するガラス板を備えた装飾枠としての前枠を中枠の前面側に開閉可能に組み付けて構成される。前記遊技盤には、パチンコ球(遊技球)が流下する遊技領域が画成されると共に、図柄を変動表示して図柄変動演出を行なう液晶式やドラム式等の演出表示部としての図柄表示装置が備えられており、該遊技領域を流下するパチンコ球が遊技盤に配設された始動入賞装置の始動入賞口へ入賞することを遊技開始条件として、大当り抽選が行われると共に図柄表示装置での図柄変動が開始するようになっている。このようなパチンコ機では、前記図柄表示装置に停止表示された図柄の有効組み合わせとなる有効ラインが１つまたは複数設定されており、該有効ラインに停止表示された図柄が当り表示となる特定の組み合わせ(例えば同一図柄の三つ揃等)となることで、大当り遊技が付与されて、遊技者が賞球を獲得する機会が与えられるようになっている(例えば特許文献１)。
【０００３】
また、このようなパチンコ機には、前記図柄表示装置の表示部を囲む枠状の装飾部材等に、所要の動作を行なう可動部材を備えた可動演出装置を配設し、該可動部材を図柄表示装置で行なわれる遊技演出に合わせて動作させることにより、視覚的な演出効果を向上させ、遊技の興趣を高めるよう構成されることがある。例えば、特許文献１に開示された可動演出装置は、前記図柄表示装置の上方に開閉動作する可動部材としてのシャッター部材を備え、所定の動作タイミングでシャッター部材を開閉させることで、遊技の興趣を高めるよう構成されている。
【先行技術文献】
【特許文献】
【０００４】
【特許文献１】特開２００６−３１１９０１号公報
【発明の概要】
【発明が解決しようとする課題】
【０００５】
ところで、パチンコ機に設けた可動演出装置の可動部材を、図柄表示装置での演出に合わせて物理的に動作させて可動演出を行うことにより、図柄表示装置で行われる二次元的な演出とは違った印象を与えることができ、遊技演出の多様化を図ることができる。しかしながら、従来の可動演出装置は、可動部材の配置位置や形状等から可動部材の動き方(例えば可動部材が左右に動いたり回転するといった動作態様)を遊技者が予め予測することができるため、実際に可動部材が動作しても動作の意外性は乏しいのが現状であり、可動演出を行った際の演出効果を高めることが求められている。
【０００６】
そこで本発明は、可動演出実行時の意外性を高めて遊技の興趣を向上し得る遊技機を提供することを目的とする。
【課題を解決するための手段】
【０００７】
前記課題を解決し、所期の目的を達成するため、本発明の請求項１に係る発明は、
図柄変動演出を表示可能な演出表示部(50)を備え、当該演出表示部(50)に所定の当り表示が表示されることで当りが生起されるよう構成された遊技機において、
前記演出表示部(50)は、
相対的に近接および離間するよう移動可能な第１の可動部(55)および第２の可動部(56)を備え、当該第１の可動部(55)および第２の可動部(56)の夫々に、図柄変動演出を部分的に表示可能な部分表示部(H1〜H7)が設けられると共に、当該第１の可動部(55)および第２の可動部(56)に設けられた複数の部分表示部(H1〜H7)により図柄変動演出を表示する表示部(H)が構成され、
前記第１の可動部(55)および第２の可動部(56)が相対的に近接して各可動部(55,56)に設けられた前記複数の部分表示部(H1〜H7)により図柄変動演出を表示可能な第１の表示形態と、当該第１の可動部(55)および第２の可動部(56)が相対的に離間して複数の可動部(55,56)の間に演出領域(S)が画成される第２の表示形態とに変化するよう構成されると共に、
前記第１の可動部(55)は、基準ベース部(K1)と、前記基準ベース部(K1)に対して相対的に近接および離間するよう動作可能な可動ベース部(K2〜K4)とを有し、当該基準ベース部(K1)および可動ベース部(K2〜K4)の夫々に部分表示部(H1〜H7)が設けられると共に、
前記第１の表示形態において前記第１の可動部の基準ベース部(K1)から離間した可動ベース部(K2〜K4)に対して前記第２の可動部(56)が近接すると共に、当該可動ベース部(K2〜K4)および第２の可動部(56)の対向部に磁着手段(116,136,173,178)が設けられて、当該磁着手段(116,136,173,178)が磁着することで第１の可動部(55)の可動ベース部(K2〜K4)および第２の可動部(56)が第１の表示形態で保持されるよう構成され、
前記第２の表示形態において前記第１の可動部(56)の基準ベース部(K1)に対して可動ベース部(K2〜K4)が近接すると共に、当該基準ベース部(K1)および可動ベース部(K2〜K4)の対向部に第２の磁着手段(96,135)が設けられて、当該第２の磁着手段(96,135)により基準ベース部(K1)および可動ベース部(K2〜K4)が磁着するよう構成されたことを要旨とする。
【０００８】
このように、可動演出を行うために設けられた可動部材を動作させる構成と異なり、部分表示部を設けた複数の可動部を相対的に変位するよう動作させて図柄変動演出が行われる演出表示部の表示部そのものを外形形状の異なる第１の表示形態および第２の表示形態に変形するよう可動させることで、可動演出に伴う意外性を高めることができ、遊技の興趣を向上させることができる。また、演出表示部の表示部の外形形状を変化させることで、演出表示部で行われる図柄変動演出と演出表示部による可動演出との一体感を高めることが可能となる。
更に、第１の表示形態において磁着手段が磁着することにより、当該第１の表示形態において複数の可動部を一定の位置関係で保持することができ、演出表示部における表示部の形態が変形する構成にあって、第１の表示形態で行われる図柄変動演出に違和感を生じさせるのを防止し得る。
また、部分表示部を設けた第１および第２の可動部を相対的に近接および離間させることで、第１の表示形態と第２の表示形態とに変形させることができ、演出効果の高い可動演出を実現できる。また、図柄変動演出が行われる表示部が分割する意外性の高い演出が可能となる。そして、第１および第２の可動部が近接する第１の表示形態において対向する対向部に磁着手段を配設して、当該第１の表示形態に第１および第２の可動部を保持することで、第１の表示形態で行われる図柄変動演出に違和感を生じさせるのを防止し得る。
更に、第１の表示形態においては、第１の可動部の基準ベース部から離間した可動ベース部に対して第２の可動部が近接して、当該可動ベース部および第２の可動部が磁着手段により磁着すると共に、第２の表示形態においては、第１の可動部の基準ベース部に対して可動ベース部が近接して、当該基準ベース部および可動ベース部が第２の磁着手段により磁着するよう構成することで、当該第１の表示形態および第２の表示形態において、第１および第２の可動部を一定の位置関係で保持することができる。
【発明の効果】
【００１１】
本発明に係る遊技機によれば、図柄変動演出が行われる演出表示部の表示部の外形形状が変形するよう動作することで、可動演出が行われた際の意外性を高めて遊技の興趣を向上することができる。
【図面の簡単な説明】
【００１２】
【図１】本発明の実施例に係るパチンコ機の正面図である。
【図２】実施例に係る遊技盤の正面図である。
【図３】実施例に係る遊技盤の左側面図である。
【図４】実施例に係る固定部材に配設された可動図柄表示部を前側から見た斜視図であって、第１可動表示部および第２可動表示部が第１の表示形態にある状態を示す。
【図５】実施例に係る固定部材に配設された可動図柄表示部を前側から見た斜視図であって、第１可動表示部および第２可動表示部が第２の表示形態にある状態を示す。
【図６】実施例に係る可動図柄表示部を示す正面図であって、第１可動表示部および第２可動表示部が第１の表示形態にある状態を示す。
【図７】実施例に係る可動図柄表示部を後側から見た斜視図であって、第１可動表示部および第２可動表示部が第１の表示形態にある状態を示す。
【図８】実施例に係る第１の表示形態にある第１可動表示部を示し、(a)は正面図であり、(b)は背面図である。
【図９】実施例に係る第２の表示形態にある第１可動表示部を示し、(a)は正面図であり、(b)は背面図である。
【図１０】実施例に係る第１の表示形態にある第２可動表示部を示し、(a)は正面図であり、(b)は背面図である。
【図１１】実施例に係る第２の表示形態にある第２可動表示部を示し、(a)は正面図であり、(b)は背面図である。
【図１２】実施例に係る固定部材に配設された可動図柄表示部における第１可動表示部の駆動機構を示す斜視図である。
【図１３】実施例に係る第１可動表示部の駆動機構を示す分解斜視図である。
【図１４】実施例に係る第１可動表示部の第１〜第４の可動ベース部を前側から見た状態で示す分解斜視図である。
【図１５】実施例に係る第１可動表示部の第１〜第４の可動ベース部を後側から見た状態で示す分解斜視図である。
【図１６】実施例に係る第１可動表示部の第１〜第４の可動ベース部を示す右側面図であって、第１の表示形態にある状態を実線で示し、第２の表示形態にある状態を二点鎖線で示す。
【図１７】実施例に係る第２可動表示部の第５〜第７の可動ベース部を後側から見た状態で示す分解斜視図である。
【図１８】実施例に係る第１の表示形態にある状態で第１〜第７の可動ベース部を縦断した要部を拡大して示す正面図である。
【図１９】実施例に係る第１の可動ベース部に配設される部分表示部を示す分解斜視図である。
【図２０】実施例に係る可動図柄表示部と可動演出部とを示す右側面図であって、(a)は可動図柄表示部が第１の表示形態にある状態を示し、(b)は可動図柄表示部が第２の表示形態にある状態を示す。
【図２１】実施例に係る可動演出部を示す右側面図であって、(a)は可動演出部の可動前の状態を示し、(b)は可動演出部の可動後の状態を示す。
【発明を実施するための形態】
【００１３】
次に、本発明に係る遊技機につき、好適な実施例を挙げて、添付図面を参照しながら以下詳細に説明する。なお、実施例では、パチンコ球としてパチンコ球を用いて遊技を行なうパチンコ機１０を例に挙げて説明する。また、以下の説明において、「前」、「後」、「左」、「右」とは、図１に示すようにパチンコ機１０を前側(遊技者側)から見た状態で指称する。
【実施例】
【００１４】
(パチンコ機１０の概略構成について)
実施例に係るパチンコ機１０は、図１に示すように、遊技店に設けられた設置枠台(図示せず)に固定される固定枠としての外枠１１と、該外枠１１に対して着脱および開閉可能に枢支された本体枠としての中枠１２と、該中枠１２に着脱交換可能に取り付けられて所要の遊技領域２１が画成された遊技盤２０と、中枠１２の前面側に着脱および開閉可能に枢支され、遊技盤２０の遊技領域２１と対応する位置に前後に開口する窓口が形成された装飾枠としての前枠１３とを備えている。そして、前枠１３には、ガラス板や透明な合成樹脂材で形成された透視保護板１８が窓口を覆うよう配設されており、遊技盤２０の遊技領域２１をパチンコ機１０の前面側から透視可能な状態で保護している。また、前記前枠１３における窓口の下方位置には、パチンコ球を貯留可能な球受け皿１４,１５が設けられており、当該前枠１３と一体的に球受け皿１４,１５を開閉し得るようになっている。実施例の前枠１３には、上球受け皿１４および下球受け皿１５が上下の位置関係で組み付けられている。なお、前記上下の球受け皿１４,１５の一方および両方を、前枠１３とは個別に中枠１２に組み付けるようにしてもよい。また、１つの球受け皿１４,１５のみを前枠１３や中枠１２に設ける構成とすることもできる。
【００１５】
また、前記パチンコ機１０(実施例では中枠１２)の前面の右下方位置に、中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置が作動されて、前記上球受け皿１４,１５に貯留されたパチンコ球が前記遊技盤２０の遊技領域２１に向けて１球ずつ発射されるようになっている。ここで、前記操作レバー１６ａの回動量に応じて前記打球発射装置によるパチンコ球の打球力が強弱変化するよう構成されており、遊技者が操作レバー１６ａの回動量を調節することで、前記遊技領域２１へのパチンコ球の発射位置を任意に変更し得るようになっている。なお、パチンコ機１０の後側には、当該パチンコ機１０を総合的に制御するメイン制御基板(制御手段)、メイン制御基板からの制御信号に基づき球払出装置を作動制御する球払出制御基板、打球発射装置を制御する発射制御基板等が配設されていると共に、メイン制御基板からの制御信号に基づき、図柄表示装置１７(後述する可動図柄表示部５０)や可動演出部２００等を作動制御する統括制御基板が配設されている(何れも図示せず)。
【００１６】
(遊技盤２０について)
遊技盤２０は、図２または図３に示すように、前面側に前記遊技領域２１が画成された平板状の板状部材２０ａと、該板状部材２０ａの裏側に配設されて各種遊技部品が設置される設置部材２０ｂとから構成されている。前記板状部材２０ａは、ベニア等を貼り合わせた木製合板や合成樹脂を材質とした略矩形板状に形成されて、当該板状部材２０ａの前面に配設された案内レール２２により略円形状の遊技領域２１が画成されている。そして、前記板状部材２０ａにおける遊技領域２１内に、パチンコ球が入賞(入球)可能な始動入賞部３１,３２が設けられており、前記打球発射装置により遊技領域２１に発射されたパチンコ球が始動入賞部３１,３２に入賞することにより遊技が行われるようになっている。また、前記板状部材２０ａには、前後に貫通する装着口(図示せず)が適宜位置に開設されており、各装着口に対して各種の前面側遊技部品が取り付けられると共に、遊技領域２１の最下部位置には、該遊技領域２１に打ち出されたパチンコ球を排出するアウト口２３が開設されている。なお、後述のように板状部材２０ａには、前面側遊技部品として枠状装飾部材２５、始動入賞部３１,３２、特別入賞部４１,４２等が配設されている。
【００１７】
前記板状部材２０ａには、図２に示すように、前記案内レール２２で囲まれた遊技領域２１の略中央に、センター役とも称される枠状装飾部材２５が取り付けられている。前記枠状装飾部材２５は、前後に開口する枠状に形成されており、該枠状装飾部材２５の開口内側に図柄表示装置１７の表示部が臨んで、当該表示部をパチンコ機１０の前面側から視認し得るようになっている。すなわち、遊技盤２０に画成された遊技領域２１は、パチンコ球が枠状装飾部材２５の左側部を流下する第１球流下領域２１ａと、パチンコ球が枠状装飾部材２５の右側部を流下する第２球流下領域２１ｂとに区分されており、操作ハンドル１６の操作レバー１６ａを回動操作して打球力を調節することにより、第１球流下領域２１ａをパチンコ球が流下する遊技形態および第２球流下領域２１ｂをパチンコ球が流下する遊技形態の何れかを遊技者が任意に選択して遊技を行い得るようになっている。そして、前記遊技盤２０における遊技領域２１(第１および第２球流下領域２１ａ,２１ｂ)に多数の遊技釘２６が設けられており、遊技領域２１を流下する過程で遊技釘２６に接触したパチンコ球の流下方向を不規則に変化させるよう構成されている。ここで、前記アウト口２３は、第１および第２球流下領域２１ｂが合流する位置に形成してある。なお、枠状装飾部材２５は、前後に開口する形態に限らず、当該開口の全部または一部を透明板等で塞ぐ形態とすることも可能である。
【００１８】
前記設置部材２０ｂは、前方へ開口する略矩形箱状に形成されており、該設置部の開口前端部を前記板状部材２０ａの裏側に当接させた状態で固定されている(図３参照)。前記設置部材２０ｂには、板状部材２０ａに対向する対向面部において前記枠状装飾部材２５の表示窓口２５ａと前後に並ぶ位置に、前記図柄表示装置１７が着脱可能に取り付けられており、表示窓口２５ａを介して図柄表示装置１７を前側から視認し得るようになっている。また、前記設置部材２０ｂの前面側(すなわち、板状部材２０ａと設置部材２０ｂにより画成される設置空間内)には、各種の演出装置や発光装飾部が配設されている。すなわち、前記設置部材２０ｂは、図柄表示装置１７や演出装置等のパチンコ機１０の遊技演出に関わる各種演出装置の設置手段として機能している。
【００１９】
実施例の図柄表示装置１７は、図２に示すように、左右方向に３つの表示部１７ａ,１７ｂ,５０が並ぶよう設けられており、各表示部１７ａ,１７ｂ,５０毎で図柄を変動表示して１つの図柄を停止表示し得るよう構成されている。ここで、実施例の図柄表示装置１７において左図柄を表示する表示部１７ａ、中図柄を表示する表示部５０および右図柄を表示する表示部１７ｂの夫々は、個別に発光制御される７つの発光部を備えた所謂７セグメント表示部から構成されており、数字の「０」〜「９」や欧文字を表示し得るよう構成されている。また、実施例の図柄表示装置１７において中図柄を表示する表示部は、後述のように、表示部(後述する部分表示部Ｈ１〜Ｈ７により形成される表示部分)が所定の外形形状をなして図柄変動演出を表示可能な第１の表示形態と、当該表示部(部分表示部Ｈ１〜Ｈ７により形成される表示部分)が第１の表示状態とは異なった外形形状をなす第２の表示形態とに変形し得るよう構成されて、図柄変動演出を実行し得ると同時に可動演出を実行し得るようになっている。以下の説明では、図柄表示装置１７において図柄変動演出および可動演出を実行可能な中図柄の表示部を、可動図柄表示部５０と指称するものとする。
【００２０】
また、前記遊技盤２０には、図２に示すように、遊技領域２１を流下するパチンコ球が入賞可能な始動入賞部(始動入賞手段)３１,３２や特別入賞部４１,４２が取り付けられている。実施例では、遊技盤２０の第１球流下領域２１ａおよび第２球流下領域２１ｂの夫々に、始動入賞部３１,３２および特別入賞部４１,４２が配設されている。具体的には、第１球流下領域２１ａに配設される第１始動入賞部３１は、パチンコ球が入賞可能な始動入賞口３１ａが当該遊技領域２１(第１球流下領域２１ａ)に常に上方へ開口する常時開放型の入賞口とされ、当該第１球流下領域２１ａを流下するパチンコ球が常時入賞し得るよう構成される。また、第２球流下領域２１ｂに配設される第２始動入賞部３２は、第２始動入賞口３２ａを開閉する開閉部材３２ｂを備え、駆動手段としての始動入賞ソレノイド(図示せず)の駆動に伴って開閉部材３２ｂが第２始動入賞口３２ａを開閉するよう構成されている。すなわち、前記第１始動入賞部３１は、パチンコ球の入賞態様を可変不能な固定入賞部として構成され、前記第２始動入賞部３２は、パチンコ球の入賞態様を可変する開閉部材３２ｂを備えた可変入賞部として構成されている。また第１球流下領域２１ａに配設される第１特別入賞部４１および第２球流下領域２１ｂに配設される第２特別入賞部４２は、各対応の特別入賞口４１ａ,４２ａを開閉部材４２ｂで開閉可能に構成されて、駆動手段としての特別入賞ソレノイド(図示せず)の駆動に伴って開閉部材４２ｂが開閉動作するよう構成されている。
【００２１】
このようなパチンコ機１０では、打球発射装置により遊技盤２０の遊技領域２１へ打ち込まれたパチンコ球が、第１始動入賞部３１や第２始動入賞部３２に入賞することにより、メイン制御基板において入賞情報が取得されて当り抽選が行なわれると共に該当り抽選結果に基づいた制御信号が統括制御基板に出力され、該統括制御基板の制御のもとで、遊技盤２０に配設された図柄表示装置１７の表示部１７ａ,１７ｂ,５０(図２参照)での図柄変動演出が開始される。そして前記当り抽選において当りに当選した場合には、図柄変動演出の結果として、表示部１７ａ,１７ｂ,５０に所定の当り表示(例えば同一図柄の３つ揃い等の所定の図柄組み合わせ)を表示させ、遊技者に有利な当り遊技を生起するようになっている。この特別遊技では、遊技盤２０の遊技領域２１に設けられた特別入賞部４１,４２(図２参照)の特別入賞口４１ａ,４２ａが開放されてパチンコ球の入賞が可能となり、特別入賞口４１ａ,４２ａへのパチンコ球の入賞契機として賞球としてパチンコ球が上球受け皿１４や下球受け皿１５へ払出されるよう構成されている。ここで実施例では、前記当り抽選において当りに当選した場合に、複数種類の当り遊技の内から１つの当り遊技が決定され、決定された当り遊技の種類に応じて、第１特別入賞部４１および第２特別入賞部４２の何れかの特別入賞口４１ａ,４２ａが開放されるようになっている。
【００２２】
(可動図柄表示部５０について)
次に、前記可動図柄表示部５０について説明する。前記可動表示部は、図４〜図１１に示すように、相対的に変位するよう動作可能な複数の可動部５５,５６,Ｋ１〜Ｋ７と、各可動部５５,５６,Ｋ１〜Ｋ７に設けられて図柄変動演出を部分的に表示可能な部分表示部Ｈ１〜Ｈ７と、各可動部５５,５６,Ｋ１〜Ｋ７を動作させる駆動モータ(駆動手段)６３Ａ,６３Ｂとを備えており、各可動部５５,５６,Ｋ１〜Ｋ７に設けられた複数の部分表示部Ｈ１〜Ｈ７の全体で、図柄変動演出を表示する中図柄を表示する表示部を形成するようになっている。すなわち、実施例の可動図柄表示部５０は、前記駆動手段の駆動に伴い複数の可動表示部を動作させることで、部分表示部Ｈ１〜Ｈ７からなる表示部が所定の外形形状をなして図柄変動演出を表示可能な第１の表示形態(図４参照)と、第１の表示形態とは異なった外形形状をなす第２の表示形態(図５参照)とに変形するよう構成されている。なお、実施例の第１の表示形態では、各部分表示部Ｈ１〜Ｈ７がパチンコ機１０の正面を向いている。
【００２３】
ここで、実施例の可動図柄表示部５０は、図２〜図１１に示すように、前記可動部として、相対的に近接および離間するよう移動可能に構成された第１可動表示部５５および第２可動表示部５６を備え、第１可動表示部５５および第２可動表示部５６が相対的に近接および離間することで、前記第１の表示形態および第２の表示形態に変形すると共に、当該第１および第２可動表示部５５,５６の夫々に前記部分表示部Ｈ１〜Ｈ７が設けられている。なお、以下の説明では、特に断りの無い限り、第１可動表示部５５および第２可動表示部５６に関して、第１の表示形態にある状態を基準にして説明する。
【００２４】
そして、前記第１および第２可動表示部５５,５６が相対的に近接した第１の表示形態において、各可動表示部５５,５６に設けられた部分表示部Ｈ１〜Ｈ７により図柄変動演出を表示可能な表示部の全体が形成されると共に、当該第１および第２可動表示部５５,５６が相対的に離間した第２の表示形態において、第１および第２可動表示部５５,５６の間に演出領域Ｓが画成されて、パチンコ機１０の前面に露出するよう構成されている(図５、図２０参照)。ここで、前記第１の表示形態にある前記第１および第２可動表示部５５,５６の後側には、後述する可動演出部２００が配置されており、図２に示すように、第１および第２可動表示部５５,５６が第１の表示形態にある状態では、第１および第２可動表示部５５,５６により可動演出部２００が前側から視認不能に被覆され、図２０に示すように、当該第１および第２可動表示部５５,５６が第２の表示形態に変形することで画成される演出領域Ｓに可動演出部２００が臨んで、パチンコ機１０の前面側から視認可能に露出するようになっている。
【００２５】
また、前記第１可動表示部５５および第２可動表示部５６の夫々は、図４〜図１１に示すように、前記可動部として、相対的に姿勢変化するよう動作可能に構成された複数の可動ベース部Ｋ１〜Ｋ７を備えており、各可動ベース部Ｋ１〜Ｋ７に前記部分表示部Ｈ１〜Ｈ７が設けられている。実施例において、前記第１可動表示部５５は、相対的に姿勢変位可能な４つの可動ベース部(第１〜第４の可動ベース部Ｋ１〜Ｋ４)を備えると共に(図８、図９参照)、前記第２可動表示部５６は、相対的に姿勢変位可能な３つの可動ベース部(第５〜第７の可動ベース部Ｋ５〜Ｋ７)を備えている(図１０、図１１参照)。すなわち、前記第１可動表示部５５は、第１可動表示部５５を構成する第１〜第４の可動ベース部Ｋ１〜Ｋ４に設けられた４つの部分表示部Ｈ１〜Ｈ４により図柄変動演出を表示可能な表示部の一部(具体的には上側部分)を形成するよう構成され、相対的に変位するよう第１〜第４の可動ベース部Ｋ１〜Ｋ４を動作させることで、当該第１可動表示部５５が第１の表示形態および第２の表示形態に変形するよう構成されている。同様に、前記第２可動表示部５６は、第２可動表示部５６を構成する第５〜第７の可動ベース部Ｋ５〜Ｋ７に設けられた３つの部分表示部Ｈ５〜Ｈ７により図柄変動演出を表示可能な表示部の一部(具体的には下側部分)を形成するよう構成され、相対的に変位するよう第５〜第７の可動ベース部Ｋ５〜Ｋ７を動作させることで、当該第２可動表示部５６が第１の表示形態および第２の表示形態に変形するよう構成されている。
【００２６】
ここで、実施例の可動図柄表示部５０は、図２、図４、図６に示すように、第１の表示形態において、第１可動表示部５５に設けられた４つの部分表示部Ｈ１〜Ｈ４および第２可動表示部５６に設けられた３つの部分表示部Ｈ５〜Ｈ７からなる７つの部分表示部Ｈ１〜Ｈ７により７セグメント表示部を形成するよう構成されて、「０」〜「９」の数字や欧文字等の識別可能な図柄を表示し得るようになっている。一方、第２の表示形態では、第１可動表示部５５に設けられた部分表示部Ｈ１〜Ｈ４および第２可動表示部５６に設けられた部分表示部Ｈ５〜Ｈ７により識別可能な特定の図柄を形成せず、各可動表示部５５,５６の部分表示部Ｈ１〜Ｈ７が前記演出領域Ｓの周囲を発光装飾する発光演出手段として機能するよう構成されている。
【００２７】
ここで、前記可動図柄表示部５０は、図４、図５に示すように、前記遊技盤２０の設置部材２０ｂに取り付けられる固定部材５２に前記第１可動表示部５５および第２可動表示部５６が配設されており、前記枠状装飾部材２５の表示開口部２５ａを介して各可動表示部５５,５６がパチンコ機１０の前面から視認可能に露出するよう構成されている。前記固定部材５２は、板状の金属板により形成されて、前記設置部材２０ｂにおいて前記遊技盤２０の板状部材２０ａに対向する対向面部に対して固定されると共に、該固定部材５２において枠状装飾部材２５の表示開口部２５ａに臨む略中央位置に、前後に開口する設置開口部５３が開設されている。そして、固定部材５２における設置開口部５３の上部前面側に、上下方向へ往復移動し得るよう前記第１可動表示部５５が配設されると共に、当該固定部材５２における設置開口部５３の下部前面側に上下方向へ往復移動し得るよう前記第２可動表示部５６が配設されている。すなわち、前記第１可動表示部５５および第２可動表示部５６が個別または相互に上下方向へ移動することで、相対的に近接および離間するようになっている。
【００２８】
また、前記固定部材５２には、前記設置開口部５３と対応する位置に、前記可動演出部２００が配設されており、可動図柄表示部５０(第１可動表示部５５および第２可動表示部５６)が第１の表示形態にある状態では、可動演出部２００の前側が当該可動図柄表示部５０により覆われて前面側から視認不能となると共に、可動図柄表示部５０(第１可動表示部５５および第２可動表示部５６)が第２の表示形態に変形した状態では、可動演出部２００の前側から可動図柄表示部５０が退避して可動演出部２００を前面側から視認可能となるよう構成されている。
【００２９】
(第１および第２可動表示部５５,５６について)
次に、前記第１可動表示部５５および第２可動表示部５６の具体的構成について説明する。ここで、第１可動表示部５５および第２可動表示部５６は、基本構成が共通し、遊技盤中央を中心として略点対称となる構成とされていることから、以下の説明では、第１可動表示部５５に関して主として説明する。
【００３０】
前記第１および第２可動表示部５５,５６は、図４、図５に示すように、前記固定部材５２に配設される支持ベース部材６０と、該支持ベース部材６０に配設される駆動手段としての駆動モータ６３Ａ,６３Ｂと、相対的に変位するよう動作可能な複数の可動ベース部Ｋ１〜Ｋ７と、駆動モータ６３Ａ,６３Ｂおよび可動ベース部Ｋ１〜Ｋ７に接続する駆動伝達機構８１,８２,８６,８５と、各可動ベース部Ｋ１〜Ｋ７に設けられて図柄変動演出を部分的に表示可能な部分表示部Ｈ１〜Ｈ４とを備えており、駆動モータ６３Ａ,６３Ｂの駆動に伴って駆動伝達機構８１,８２,８６,８５を作動することで複数の可動ベース部Ｋ１〜Ｋ７が相対的に変位して、第１の表示形態および第２の表示形態に変形するよう構成されている。ここで、実施例における第１可動表示部５５および第２可動表示部５６は、駆動モータ６３Ａ,６３Ｂおよび駆動伝達機構８１,８２,８６,８５が独立して個別に備えており、各可動表示部５５,５６に対応の駆動モータ６３を駆動することで、第１の表示形態および第２の表示形態に個別に変形させ得るよう構成されている。なお、前述のように、第１可動表示部５５は４つの可動ベース部Ｋ１〜Ｋ４および部分表示部Ｈ１〜Ｈ４を備えており、第２可動表示部５６は３つの可動ベース部Ｋ５〜Ｋ７および部分表示部Ｈ５〜Ｈ７を備えている。また、各図中において、第１可動表示部５５に設けられた第１の駆動手段としての駆動モータに関して符号６３Ａを付すと共に、第２可動表示部５６に設けられた第２の駆動手段としての駆動モータに関して符号６３Ｂを付してある。
【００３１】
前記支持ベース部材６０は、図１２、図１３に示すように、前記固定部材５２に固定される板状のベース本体６１と、該ベース本体６１における左右方向の中央に設けられ、該ベース本体６１から後方へ突出するモータ設置部６２とを備えており、前記設置開口部５３を介してモータ設置部６２を固定部材５２の裏側へ突出させた状態で、当該ベース本体６１が固定部材５２に配設されている。なお、前記固定部材５２の上部前面側に前記第１可動表示部５５の支持ベース部材６０が配設され、該固定部材５２の下部前面側に前記第２可動表示部５６の支持ベース部材６０が配設されている。ここで、前記モータ設置部６２は、前方および設置開口部５３の開口内側(すなわち第１可動表示部５５では下方であり、第２可動表示部５６では上方である)に開口する箱状に形成されており、当該モータ設置部６２の内側に、駆動軸６３ａを左右方向へ向けた姿勢で、前記駆動モータ６３Ａ,６３Ｂがモータベース６４を介して設置されている。そして、前記駆動モータ６３Ａ,６３Ｂの駆動軸６３ａに、駆動歯車６５が連結されている。ここで、前記モータベース６４は、金属板をＬ字型に屈曲させて形成されており、駆動モータ６３Ａ,６３Ｂの駆動に伴う振動に対する耐久性を高めている。なお、前記モータ設置部６２に駆動モータ６３Ａ,６３Ｂを配設した状態で、駆動歯車６５が前記ベース本体６１より前面側に突出するよう構成されており、前記駆動伝達機構８１,８２,８６,８５を構成する従動歯車８２に対して駆動歯車６５が噛合し得るようになっている。
【００３２】
前記支持ベース部材６０には、図１３に示すように、前記駆動モータ６３Ａ,６３Ｂ(モータ設置部６２)を挟んで左右方向に離間する位置に、前方へ向けて突出するシャフト支持部６８が対向するよう形成されている。各シャフト支持部６８には、左右方向に整列した位置に、左右に貫通する軸支持孔６８ａが夫々形成されており、前記駆動伝達機構の一部を構成する駆動シャフト８１が各シャフト支持部６８の軸支持孔６８ａに挿通されて回転自在に支持されている。
【００３３】
(揺動支持部材７０について)
また、図１３に示すように、前記支持ベース部材６０には、前記駆動モータ６３Ａ,６３Ｂ(モータ設置部６２)を挟んで左右方向に離間する位置に、第１可動表示部５５の可動ベース部Ｋ１〜Ｋ４および第２可動表示部５６の可動ベース部Ｋ５〜Ｋ７を揺動可能に支持する揺動支持部材７０が対向するよう夫々配設されている。なお、前記各揺動支持部材７０は、前記シャフト支持部６８の下方に位置するよう配置されている。前記左右の揺動支持部材７０には、上下に離間する位置に、前方へ向けて突出する支持板７１,７３が形成されている。そして、上側に位置する一対の支持板７１に、前記駆動伝達機構の一部を構成する作動アーム部８５を揺動可能に支持する第１揺動軸部７２が夫々形成され、下側に位置する一対の支持板７３に、基準ベース部となる可動ベース部Ｋ１,Ｋ５(具体的には後述する揺動アーム部１０１)を揺動可能に支持する第１揺動軸部７２が夫々形成されている。すなわち、第１可動表示部５５では、第１の可動ベース部Ｋ１が揺動支持部材７０に揺動可能に支持され、第２可動表示部５６では、第５の可動ベース部Ｋ５が揺動支持部材７０に揺動可能に支持される。ここで、前記第１揺動軸部７２および第２揺動軸部７４の夫々は、前記モータ設置部６２と反対側となる側方へ向けて突出するよう形成されている。また、前記上側の支持板７１は、対応する揺動支持部材７０に形成された下側の支持板７３に対して前記モータ設置部６２から離間する方向に偏るよう形成されており、前記第１揺動軸部７２に枢支された作動アーム部８５と第２揺動軸部７４に枢支された揺動アーム部１０１とが相互に干渉しないよう構成されている。
【００３４】
前記左右の揺動支持部材７０には、図１３に示すように、前記第１揺動軸部７２および第２揺動軸部７４の突出端部に、前記上下の支持板７１,７３と対向する抜止め部材７５が取り付けられており、各揺動軸部７２,７４に枢支された揺動アーム部１０１および作動アーム部８５の脱落を防止するよう構成されている。また、前記抜止め部材７５には、対応する上下の支持板７１,７３と反対側の外側面に、前記揺動アーム部１０１を第１の表示形態から第２の表示形態へ向けて付勢する第１の付勢部材７６が配設されている。すなわち、第１の付勢部材７６により付勢することで、第１可動表示部５５および第２可動表示部５６を第１の表示形態から第２の表示形態へ速やかに変形させ得るようになっている。なお、実施例では、前記第１の付勢部材７６としてねじりバネが採用されており、ねじりバネの一方の端部が抜止め部材７５に形成された係止部７５ａに係止され、ねじりバネの他方の端部が揺動アーム部１０１に形成された係止部１０１ｂに係止される。
【００３５】
(駆動伝達機構８１,８２,８６,８５について)
前記各可動表示部５５,５６の駆動伝達機構８１,８２,８６,８５は、図７〜図１３に示すように、前記支持ベース部材６０に軸周りに回転し得るよう支持されて、前記駆動モータ６３Ａ,６３Ｂの駆動に伴い回転する駆動シャフト８１と、該駆動シャフト８１の回転に伴って揺動する作動アーム部８５とを備え、第１可動表示部５５の作動アーム部８５が第２および第３の可動ベース部Ｋ２,Ｋ３に接続し、第２可動表示部５６の作動アーム部８５が第６および第７の可動ベース部Ｋ６,Ｋ７に接続するよう構成されている。前記駆動シャフト８１は、前記支持ベース部材６０の左右のシャフト支持部６８に形成された軸支持孔６８ａに回転可能に挿通される長尺な棒状に形成されており、当該駆動シャフト８１の中間位置に、前記駆動モータ６３Ａ,６３Ｂに接続した前記駆動歯車６５と噛み合う従動歯車８２が取り付けられて、駆動モータ６３Ａ,６３Ｂの駆動に伴い駆動シャフト８１が軸回りに回転するようになっている。また、前記駆動シャフト８１における左右両端部には、左右の作動アーム部８５に対応した作動歯車８３が駆動シャフト８１と一体的に回転するよう取り付けてある。
【００３６】
(作動アーム部８５について)
前記左右の作動アーム部８５は、図７、図１６に示すように、第１の表示形態において前記第１揺動軸部７２から前方に向けて延在する長尺な部材に形成されると共に左右対称な形状に形成されている。そして、各作動アーム部８５の後端部(枢支端部)に形成された左右方向に貫通する支持孔８５ａに、対応する前記左右の揺動支持部材７０の第１揺動軸部７２が挿通されて、当該第１揺動軸部７２を中心として各作動アーム部８５が上下方向に揺動し得るようになっている。また、前記各作動アーム部８５の前端部(接続端部)には、前方へ開口する作動凹部８６が夫々形成されている。そして、前記第１可動表示部５５における作動アーム部８５の作動凹部８６に、第２および第３の可動ベース部Ｋ２,Ｋ３に設けられた連結軸部９３ｃ(後述)を前方から挿入して接続されると共に、前記第２可動表示部５６における作動アーム部８５の作動凹部８６に、第６および第７の可動ベース部Ｋ６,Ｋ７に設けられた連結軸部９３ｃ(後述)を前方から挿入して接続されるよう構成されている。なお、前記作動凹部８６は、側方に開口しており、当該作動凹部８６の側方開口が蓋部材８６ａにより閉塞されて、作動凹部８６内に挿入された連係軸部１１９の脱落を防止している。
【００３７】
また、前記作動アーム部８５には、図１３に示すように、各作動アーム部８５が枢支される揺動支持部材７０(上側の支持板７１)との対向面側に、前記第１揺動軸部７２を中心とした円弧状に延在する円弧状突片８７が形成されると共に、当該円弧状突片８７の内周面側に歯車部８８が形成され、当該歯車部８８に、前記駆動シャフト８１の左右端部に設けられた対応の作動歯車８３が噛み合うようになっている。すなわち、前記第１可動表示部５５の作動アーム部８５は、対応する駆動シャフト８１の回転に伴って、前記第１揺動軸部７２から作動アーム部８５が前方へ延在して作動凹部８６が前方に位置する基準位置と、当該作動凹部８６が基準位置より上方へ変位する作動位置との間で揺動するよう構成され、当該作動アーム部８５の揺動に伴って、第１〜第４の可動ベース部Ｋ１〜Ｋ４が第１の表示形態および第２の表示形態に変形するようになっている。同様に、前記第２可動表示部５６の作動アーム部８５は、対応する駆動シャフト８１の回転に伴って、前記第１揺動軸部７２から作動アーム部８５が前方へ延在して作動凹部８６が前方に位置する基準位置と、当該作動凹部８６が基準位置より下方へ変位する作動位置との間で揺動するよう構成され、当該作動アーム部８５の揺動に伴って、第５〜第７の可動ベース部Ｋ５〜Ｋ７が第１の表示形態および第２の表示形態に変形するようになっている。また、前記第１可動表示部５５の右側の作動アーム部８５(第２可動表示部５６では左側の作動アーム部８５)には、前記第１揺動軸部７２を中心とした円弧状に延在する位置検出片８９が設けられると共に、当該作動アーム部８５に対応した前記抜止め部材７５に、当該位置検出片８９を検出する位置検出センサＳＥが配設されており、当該作動アーム部８５の基準位置および作動位置揺動への揺動に伴って位置検出センサＳＥによる位置検出片８９の検出状態が切り替わることで、対応する第１可動表示部５５および第２可動表示部５６が第１の表示形態および第２の表示形態にあることを検出し得るよう構成されている。
【００３８】
(第１可動表示部５５の可動ベース部Ｋ１〜Ｋ４について)
図８、図９、図１４、図１５に示すように、前記第１可動表示部５５は、前記左右の揺動支持部材７０に揺動可能に支持される第１の可動ベース部Ｋ１と、該第１の可動ベース部Ｋ１に対して回動可能に支持されると共に第１可動表示部５５の作動アーム部８５に接続される第２および第３の可動ベース部Ｋ２,Ｋ３と、該第２および第３の可動ベース部Ｋ２,Ｋ３に対して回動可能に支持される第４の可動ベース部Ｋ４とを備えている。そして、前記駆動モータ６３Ａ,６３Ｂの駆動に伴って駆動伝達機構８１,８２,８６,８５が作動することで、前記揺動支持部材７０(支持ベース部材６０)に対して第１〜第４の可動ベース部Ｋ１〜Ｋ４が揺動すると共に、前記第２〜第４の可動ベース部Ｋ２〜Ｋ４が第１の可動ベース部Ｋ１に対して相対的に変位するよう構成されている。すなわち、第１可動表示部５５における第１の可動ベース部Ｋ１は、当該第１可動表示部５５を構成する各可動ベース部が変位する際の基準となる基準ベース部である。
【００３９】
前記第１の可動ベース部Ｋ１は、図８、図９、図１４、図１５に示すように、当該第１の可動ベース部Ｋ１に対応する部分表示部Ｈ１が配設される基体部９２と、該基体部９２に配設されると共に前記揺動支持部材７０の第２揺動軸部７４に揺動可能に支持される揺動アーム部１０１とを備えており、該第２揺動軸部７４を中心として揺動アーム部１０１が揺動することで、前記第１の表示形態に対応した初期位置と、前記第２の表示形態に対応した可動位置とに変位するよう構成されている。ここで、前記第１の表示形態に対応した初期位置では、前記基体部９２に配設された第１の可動ベース部Ｋ１の部分表示部Ｈ１がパチンコ機１０の正面を向くと共に、前記第２の表示形態に対応した可動位置では、当該第１の可動ベース部Ｋ１の部分表示部Ｈ１がパチンコ機１０の正面上方を向くようになっている。
【００４０】
前記第１の可動ベース部Ｋ１の基体部９２は、図８、図９、図１４、図１５に示すように、前記部分表示部Ｈ１が前面側に配設される前側の表示支持部９３と、該表示支持部９３の後側に重なるよう配設されると共に前記揺動アーム部１０１が固定される後側の連結支持部９８とから構成されている。前記表示支持部９３は、左右方向に横長の板状に形成されると共に、該表示支持部９３の前面側に、対応する部分表示部Ｈ１の外形形状に略整合する形状で支持枠部９４が前方へ突出するよう形成されている。ここで、実施例において第１の可動ベース部Ｋ１に配設される部分表示部Ｈ１は、横長の六角形状に形成されており、当該部分表示部Ｈ１に整合する横長六角形状に前記支持枠部９４が形成されている。
【００４１】
また、図８、図９、図１４、図１５に示すように、前記第１の可動ベース部Ｋ１の基体部９２(表示支持部９３)には、前記支持枠部９４の下部位置に、磁石(磁着部材)９６が収容される磁石収容部９５が形成されている。すなわち、前記第１可動表示部５５が第１の表示形態にある状態で、前記第１の可動ベース部Ｋ１が第４の可動ベース部Ｋ４に対向する対向部に磁石収容部９５(磁石９６)が設けられている。ここで、前記磁石収容部９５は、前記支持枠部９４の下方へ突出すると共に、前方へ開口するよう形成されており、当該磁石収容部９５の前方開口を介して、磁石９６を収容し得るよう構成されている。なお、磁石収容部９５の前方開口は、第１の可動ベース部Ｋ１に対応した部分表示部Ｈ１外形枠部１８４(後述)により閉塞されて、磁石収容部９５から磁石９６が脱落しないよう構成されている。
【００４２】
前記表示支持部９３の後面側には、図８、図９、図１４、図１５に示すように、左右両端部に、後方へ突出する軸支持部９３ａが夫々形成されており、当該軸支持部９３ａの後端が前記連結支持部９８に固定されるようになっている。また、表示支持部９３の後面側には、左右に離間する位置に、上下方向に延在するガイド壁部９７が後方へ突出するよう形成されて、当該ガイド壁部９７の後端が前記連結支持部９８の前面に当接するようになっている。すなわち、前記第１の可動ベース部Ｋ１の基体部９２には、前記左右のガイド壁部９７の間に、上下に貫通する摺動孔９９が形成されている。ここで、表示支持部９３に形成される前記左右のガイド壁部９７は、前記第４の可動ベース部Ｋ４に設けられる遮蔽板１４０(後述)の左右の幅寸法より僅かに大きく形成されて、該第４の可動ベース部Ｋ４の遮蔽板１４０が前記摺動孔９９に下方から挿入し得るようになっている。なお、前記左右のガイド壁部９７の下端側は、下方へ向かうにつれて相互に離間するよう傾斜した末広がり状に形成されており、第１の表示形態から第２の表示形態へ変形する際に、当該ガイド壁部９７により前記第４の可動ベース部Ｋ４の遮蔽板１４０を前記摺動孔９９内に誘導し得るよう構成されている。
【００４３】
また、前記表示支持部９３の後面側には、図８、図９、図１４、図１５に示すように、左右両端部およびガイド壁部９７の下方位置に、後方へ突出する連結軸部９３ｃが夫々形成されており、当該連結軸部９３ｃに前記揺動アーム部１０１が夫々固定されるようになっている。なお、前記表示支持部９３には、前記左右のガイド壁部９７の間に、前後に開口する放熱孔９３ｂが複数箇所(実施例では４箇所)に形成されている。この放熱孔９３ｂは、前記部分表示部Ｈ１のＬＥＤ基板１８２に対向するよう形成されており、当該部分表示部Ｈ１の発光に伴って発生した熱を外部へ逃がし得るようになっている。
【００４４】
前記第１の可動ベース部Ｋ１の連結支持部９８は、図８、図９、図１４、図１５に示すように、前記左右一対の揺動アーム部１０１の間に亘って延在する平板状に形成されている。そして、前記表示支持部９３に形成された各連結軸部９３ｃと対応する位置に、前後に貫通する挿通孔９８ａが形成されており、当該挿通孔９８ａに、連結軸部９３ｃが前方から挿入されると共に、前記揺動アーム部１０１に形成された環状突部１０２が後方から挿入されるようになっている。また、前記連結支持部９８には、左右方向の略中央位置に、前記摺動孔９９内で開口するガイド凹部９８ｂが上下に延在するよう形成されており、前記第４の可動ベース部Ｋ４に形成されたガイド突部１４２(後述)がガイド凹部９８ｂの前方から摺動可能に挿入されている。
【００４５】
図８、図９、図１４、図１５に示すように、前記左右の揺動アーム部１０１は、前記第２揺動軸部７４から前後方向に延在する長尺な部材に形成されると共に左右対称な形状に形成されている。そして、各揺動アーム部１０１の後端部(枢支端部)に形成された左右方向に貫通する軸孔１０１ａに、対応する前記左右の揺動支持部材７０の第２揺動軸部７４が挿通されて、当該第２揺動軸部７４を中心として各揺動アーム部１０１が上下方向に揺動し得るようになっている。また、前記各揺動アーム部１０１の前端部(固定端部)には、前記連結支持部９８の挿通孔９８ａと前後に整列する位置に、前方へ環状に突出する環状突部１０２が夫々形成されており、当該環状突部１０２が前記連結支持部９８に挿通されるようになっている。そして、前記連結支持部９８の挿通孔９８ａに挿通された前記表示支持部９３の連結軸部９３ｃが、対応する環状突部１０２に嵌合されて、当該環状突部１０２に嵌合した連結軸部９３ｃが揺動アーム部１０１に固定されるようになっている。このように、前記環状突部１０２に嵌合した連結軸部９３ｃを揺動アーム部１０１に固定することで、揺動アーム部１０１と基体部９２とが一体的に揺動すると共に、揺動アーム部１０１および基体部９２の連結部分の剛性を高めている。
【００４６】
また、前記各揺動アーム部１０１には、外側面(各揺動アーム部１０１の対向面と反対側となる面)に、該揺動アーム部１０１の長手方向に沿って延在すると共に外方へ開口する配線挿通凹部１０３が形成されており、第１可動表示部５５に設けられた部分表示部Ｈ１〜Ｈ４のＬＥＤ基板１８２に接続する配線が挿通されるようになっている。なお、前記配線挿通凹部１０３内には、配線を保持する配線フック１０３ａが揺動アーム部１０１の長手方向に離間して複数配設されており、当該配線挿通凹部１０３に挿通した配線の脱落を防止している。
【００４７】
(第１可動表示部５５の第２〜第４の可動ベース部Ｋ２〜Ｋ４について)
前記第２〜第４の可動ベース部Ｋ２〜Ｋ４の夫々は、図８、図９、図１４、図１５に示すように、当該第２〜第４の可動ベース部Ｋ２〜Ｋ４の夫々に対応した部分表示部Ｈ２〜Ｈ４が配設される基体部１１２,１１２,１３２と、該基体部１１２,１１２,１３２から対向する可動ベース部Ｋ１〜Ｋ３へ向けて延出する遮蔽板１２０,１２１,１４０とを備えており、第２および第３の可動ベース部Ｋ２,Ｋ３の基体部１１２,１１２が第１の可動ベース部Ｋ１の基体部９２に対して回動可能に連結されると共に、第４の可動ベース部Ｋ４の基体部１３２が第２および第３の可動ベース部Ｋ２,Ｋ３の基体部１１２,１１２に対して連結アーム１２５を介して回動可能に連結されている。そして、前記第２および第３の可動ベース部Ｋ２,Ｋ３が前記作動アーム部８５に夫々接続されており、前記駆動モータ６３Ａ,６３Ｂを駆動して作動アーム部８５を作動させることで、第１〜第４の可動ベース部Ｋ１〜Ｋ４が前記第１の表示形態に対応した初期位置と、前記第２の表示形態に対応した可動位置とに変位するよう構成されている。なお、実施例の第２および第３の可動ベース部Ｋ２,Ｋ３は、左右対称形状に形成されており、同一構成に関して、同一の符号を付して説明する。
【００４８】
前記第２および第３の可動ベース部Ｋ２,Ｋ３の基体部１１２は、上下方向に縦長の板状に形成されると共に、該表示支持部９３の前面側に、対応する部分表示部Ｈ２,Ｈ３の外形形状に略整合する形状で支持枠部１１４が前方へ突出するよう形成されている。同様に、第４の可動ベース部Ｋ４の基体部１３２は、左右方向に横長の板状に形成されると共に、該表示支持部９３の前面側に、対応する部分表示部Ｈ４の外形形状に略整合する形状で支持枠部１３４が前方へ突出するよう形成されている。ここで、実施例において第２および第３の可動ベース部Ｋ２,Ｋ３に配設される部分表示部Ｈ２,Ｈ３は、縦長の六角形状に形成されており、当該部分表示部Ｈ２,Ｈ３に整合する横長六角形状に前記各支持枠部１１４が形成されている。また、第４の可動ベース部Ｋ４に配設される部分表示部Ｈ４は、前記第１の可動ベース部Ｋ１に設けられる部分表示部Ｈ１と同様に、横長の六角形状に形成されており、当該部分表示部Ｈ４に整合する横長六角形状に前記支持枠部１３４が形成されている。
【００４９】
図８、図９、図１４、図１５に示すように、前記第２および第３の可動ベース部Ｋ２,Ｋ３には、基体部１１２の上端部に、対向する可動ベース部側へ向けて延出する半円板状の支持部(以下円形支持部１１７という)が形成されている。第２および第３の可動ベース部Ｋ２,Ｋ３の各円形支持部１１７は、前後に貫通する軸孔１１７ａが夫々形成されており、第２の可動ベース部Ｋ２に形成された軸孔１１７ａに対して、前記第１の可動ベース部Ｋ１の左端部に形成された軸支持部９３ａ(図１５では右側に表れている)が前方から挿通されると共に、第３の可動ベース部Ｋ３に形成された軸孔１１７ａに対して、当該第１の可動ベース部Ｋ１の右端部に形成された軸支持部９３ａ(図１５では左側に表れている)が前方から挿通されている。また、前記各円形支持部１１７には、対応する軸孔１１７ａから径方向に相互に離間する位置に、後方へ突出する規制突部１１７ｂが形成されて、前記第１の可動ベース部Ｋ１(具体的には連結支持部９８)に形成された円弧状ガイド孔９８ｃ(図１５参照)に挿通されるようになっている。すなわち、第２および第３の可動ベース部Ｋ２,Ｋ３は、前記規制突部１１７ｂが対応の円弧状ガイド孔９８ｃの端部に当接する範囲で、前記軸支持部９３ａを中心として第１の可動ベース部Ｋ１に対して回動することで、前記初期位置および可動位置に変位するよう構成されている。なお、前記各円弧状ガイド孔９８ｃは、連結支持部９８を中心とした円弧状に延在するよう形成されている。
【００５０】
ここで、図８、図９、図１４、図１５に示すように、前記第２の可動ベース部Ｋ２の基体部１１２の後面側に、連結アーム１２５の一端が連結ピン１２５ａを介して揺動自在に枢支されると共に、前記第４の可動ベース部Ｋ４の基体部１３２の後面側に、当該連結アーム１２５の他端が連結ピン１２５ａを介して揺動自在に枢支されている。同様に、前記第３の可動ベース部Ｋ３の基体部１１２の後面側に、連結アーム１２５の一端が連結ピン１２５ａを介して揺動自在に枢支されると共に、前記第４の可動ベース部Ｋ４の基体部１３２の後面側に、当該連結アーム１２５の他端が連結ピン１２５ａを介して揺動自在に枢支されている。ここで、前記第２の可動ベース部Ｋ２に連結される連結アーム１２５が、前記第４の可動ベース部Ｋ４における基体部１３２の右端部側に連結されると共に、前記第３の可動ベース部Ｋ３に連結される連結アーム１２５が、第４の可動ベース部Ｋ４における基体部１３２の左端部側に連結されている。すなわち、第４の可動ベース部Ｋ４は、第２および第３の可動ベース部Ｋ２,Ｋ３に対して一対の連結アーム１２５,１２５を介して吊り下げるよう連結されている。
【００５１】
そして、初期位置にある第２および第３の可動ベース部Ｋ２,Ｋ３が相互に離間するよう第１の可動ベース部Ｋ１に対して回動して初期位置から可動位置に変位するのに伴い、一対の連結アーム１２５を介して連結された第４の可動ベース部Ｋ４が吊り上げられて第１の可動ベース部Ｋ１に対して近接するよう初期位置から可動位置に変位するよう構成されている。また、可動位置にある第２および第３の可動ベース部Ｋ２,Ｋ３が相互に近接するよう第１の可動ベース部Ｋ１に対して回動して可動位置から初期位置に変位するのに伴い、一対の連結アーム１２５を介して連結された第４の可動ベース部Ｋ４が第１の可動ベース部Ｋ１に対して離間して可動位置から初期位置に変位するよう構成されている。
【００５２】
また、前記各円形支持部１１７には、対応する第２および第３の可動ベース部Ｋ２,Ｋ３を第１の表示形態から第２の表示形態へ向けて付勢する第２の付勢部材１１８が配設されている。すなわち、第２の付勢部材１１８により付勢することで、第２および第３の可動ベース部Ｋ２,Ｋ３を第１の表示形態から第２の表示形態へ速やかに変形させ得るようになっている。なお、実施例では、前記第２の付勢部材１１８としてねじりバネが採用されており、前記軸孔１１７ａに挿通された軸支持部９３ａにねじりバネが介装されて、当該ねじりバネの一方の端部が円形支持部１１７に形成された係止部１１７ｃとしての規制突部１１７ｂに係止され、他方の端部が第１の可動ベース部Ｋ１の表示支持部９３に形成された係止部９３ｄに係止されている。
【００５３】
図１４、図１５に示すように、前記第２の可動ベース部Ｋ２における基体部１１２の上端部には、前記円形支持部１１７の軸孔１１７ａ(軸支持部９３ａ)よりも外側方(対向する第３の可動ベース部Ｋ３から離間する左側方)に、後方へ突出するよう連係軸部１１９が取り付けられ、同様に第３の可動ベース部Ｋ３における基体部１１２の上端部には、前記円形支持部１１７の軸孔１１７ａよりも外側方(対向する第２の可動ベース部Ｋ２から離間する左側方)に、後方へ突出するよう連係軸部１１９が取り付けられている。そして、前記第２の可動ベース部Ｋ２の連係軸部１１９が、前記左側の作動アーム部８５の作動凹部８６に前側から挿入され、前記第３の可動ベース部Ｋ３の連係軸部１１９が、右側の作動アーム部８５の作動凹部８６に前側から挿入されている。
【００５４】
ここで、前記第２および第３の可動ベース部Ｋ２,Ｋ３が前記初期位置にある状態で、前記基準位置にある左右の作動アーム部８５の各作動凹部８６に対応の連係軸部１１９が前側から挿入されるよう構成されている。すなわち、基準位置から作動位置に向けて作動凹部８６が上方移動するよう前記左右の作動アーム部８５が揺動することで、前記各連係軸部１１９(第２および第３の可動ベース部Ｋ２,Ｋ３)が上方へ移動し、第２および第３の可動ベース部Ｋ２,Ｋ３が連結された前記第１の可動ベース部Ｋ１が初期位置から可動位置へ揺動される。ここで、前記第１の可動ベース部Ｋ１の揺動アーム部１０１と、前記作動アーム部８５の揺動中心(すなわち第１揺動軸部７２および第２揺動軸部７４)が異なることで、第１の可動ベース部Ｋ１の揺動に伴って前記軸支持部９３ａと連係軸部１１９の相対位置が変化するから、これに伴って前記第２および第３の可動ベース部Ｋ２,Ｋ３が対応する軸支持部９３ａを中心として第１の可動ベース部Ｋ１に対して相互に離間(拡開)するよう初期位置から可動位置へ回動すると共に、連結アーム１２５,１２５を介して第２および第３の可動ベース部Ｋ２,Ｋ３に接続した第４の可動ベース部Ｋ４が第１の可動ベース部Ｋ１に近接するよう初期位置から可動位置へ移動するよう構成されている。すなわち、基準位置から作動位置に作動アーム部８５が揺動することで、第１〜第４の可動ベース部Ｋ１〜Ｋ４を第１の表示形態に対応した初期位置から第２の表示形態に対応した可動位置に変位させ得るよう構成されている。
【００５５】
また、作動位置から基準位置に向けて作動凹部８６が下方移動するよう前記左右の作動アーム部８５が揺動することで、前記各連係軸部１１９(第２および第３の可動ベース部Ｋ２,Ｋ３)が下方へ移動し、第２および第３の可動ベース部Ｋ２,Ｋ３が連結された前記第１の可動ベース部Ｋ１が可動位置から初期位置へ揺動される。ここで、前記第１の可動ベース部Ｋ１の揺動アーム部１０１と、前記作動アーム部８５の揺動中心(すなわち第１揺動軸部７２および第２揺動軸部７４)が異なることで、前述と同様に、第１の可動ベース部Ｋ１の揺動に伴って前記軸支持部９３ａと連係軸部１１９の相対位置が変化するから、これに伴って前記第２および第３の可動ベース部Ｋ２,Ｋ３が対応する軸支持部９３ａを中心として第１の可動ベース部Ｋ１に対して相互に近接するよう可動位置から初期位置へ回動すると共に、連結アーム１２５,１２５を介して第２および第３の可動ベース部Ｋ２,Ｋ３に接続した第４の可動ベース部Ｋ４が第１の可動ベース部Ｋ１に離間するよう可動位置から初期位置へ移動するよう構成されている。すなわち、作動位置から基準位置に作動アーム部８５が揺動することで、第１〜第４の可動ベース部Ｋ１〜Ｋ４を第２の表示形態に対応した可動位置から第１の表示形態に対応した初期位置に変位させ得るよう構成されている。
【００５６】
また、図１４、図１５、図１８に示すように、前記第２および第３の可動ベース部Ｋ２,Ｋ３の各基体部１１２には、前記支持枠部１１４の下部位置に、磁石(磁着部材)１１６が収容される磁石収容部１１５が形成されている。すなわち、前記第１可動表示部５５および第２可動表示部５６が第１の表示形態にある状態において、第２可動表示部５６の第６の可動ベース部Ｋ６に対向する前記第２の可動ベース部Ｋ２の対向部および第２可動表示部５６の第７の可動ベース部Ｋ７に対向する前記第３の可動ベース部Ｋ３の対向部に、磁石収容部１１５(磁石１１６)が夫々設けられている。ここで、前記磁石収容部１１５は、前記支持枠部１１４より下方へ突出すると共に、前方へ開口するよう形成されており、当該磁石収容部１１５の前方開口を介して、磁石１１６を収容し得るよう構成されている。なお、磁石収容部１１５の前方開口は、第２および第３の可動ベース部Ｋ２,Ｋ３に対応した部分表示部Ｈ２,Ｈ３の外形枠部１８４(後述)により閉塞されて、磁石収容部１１５から磁石１１６が脱落しないよう構成されている。
【００５７】
そして、図８、図９、図１４、図１５に示すように、前記第２の可動ベース部Ｋ２における基体部１１２の右側端部に、右方向へ向けて延出するよう前記遮蔽板１２０が形成され、前記第３の可動ベース部Ｋ３における基体部１１２の左側端部に、左方向へ向けて延出するよう遮蔽板１２１が形成されると共に、前記第４の可動ベース部Ｋ４における基体部１３２の上側端部に、上方向へ向けて延出するよう遮蔽板１４０が形成されている。ここで、前記第４の可動ベース部Ｋ４の遮蔽板１４０は、前記第１の可動ベース部Ｋ１に形成された摺動孔９９の下方開口に挿入されるよう構成されると共に、該第４の可動ベース部Ｋ４の遮蔽板１４０の後面側に、後方へ突出するよう形成されたガイド突部１４２が、第１の可動ベース部Ｋ１に形成されたガイド凹部９８ｂに対して前方から摺動可能に挿入されている。すなわち、前記第４の可動ベース部Ｋ４の遮蔽板１４０が前記第１の可動ベース部Ｋ１に形成されたガイド壁部９７に沿って摺動孔９９内を摺動すると共に、前記ガイド凹部９８ｂ内をガイド突部１４２が摺動することで、第２および第３の可動ベース部Ｋ２,Ｋ３の回動に連動して第４の可動ベース部Ｋ４が初期位置と可動位置との間で安定した姿勢で移動し得るようになっている。
【００５８】
また、第２および第３の可動ベース部Ｋ２,Ｋ３は、前記第１の表示形態に対応した初期位置において、両遮蔽板１２０,１２１の延出端部が相互に離間して間に間隙が形成されるよう構成されている。そして、第１の表示形態において、前記第２および第３の可動ベース部Ｋ２,Ｋ３の遮蔽板１２０,１２１の延出端部の後方に重なる幅寸法で延在する平板状に、前記第４の可動ベース部Ｋ４の遮蔽板１４０が形成されている。すなわち、第１の表示形態において、前記第１〜第４の可動ベース部Ｋ１〜Ｋ４の基体部９２,１１２,１１２,１３２(部分表示部Ｈ１〜Ｈ４)の間が、第２〜第４の可動ベース部Ｋ２〜Ｋ４の遮蔽板１２０,１２１,１４０で覆われるよう構成されており、第１可動表示部５５の裏側に配設された前記可動演出部２００がパチンコ機１０の前面側に露出しないよう構成されている。
【００５９】
図８、図９、図１４、図１５に示すように、前記第４の可動ベース部Ｋ４の基体部１３２には、前記支持枠部１３４の上部位置に、前記第１の可動ベース部Ｋ１に配設された磁石９６が磁着可能な第１の金属板(磁着部材)１３５が配設されている。また、第４の可動ベース部Ｋ４における支持枠部１３４の下部位置に、前記第２可動表示部５６における後述する第６および第７の可動ベース部Ｋ６,Ｋ７に配設された後述する磁石１７２,１７２が磁着可能な第２の金属板(磁着部材)１３６が配設されている。すなわち、前記第１可動表示部５５および第２可動表示部５６が第１の表示形態にある状態で、前記第４の可動ベース部Ｋ４が前記第１の可動ベース部Ｋ１に設けられた磁石収容部９５に対向する対向部に前記第１の金属板１３５が配設され、当該第４の可動ベース部Ｋ４が第６および第７の可動ベース部Ｋ６,Ｋ７に設けられた磁石収容部１７１,１７１(後述)に対向する対向部に第２の金属板１３６が配設されている。ここで、前記第１の金属板１３５および第２の金属板１３６は、コ字状に屈曲形成されて、第４の可動ベース部Ｋ４における支持枠部１３４に対して前側から嵌合して取り付けるよう構成されている。なお、第１および第２の金属板１３５,１３６の前面は、第４の可動ベース部Ｋ４に対応した部分表示部Ｈ４の外形枠部１８４(後述)に当接して、当該金属板１３５,１３６が支持枠部１３４から脱落しないようになっている。
【００６０】
(第２可動表示部５６の可動ベース部Ｋ５〜Ｋ７について)
図４、図５、図１０、図１１、図１７に示すように、前記第２可動表示部５６は、前記左右の揺動支持部材７０に揺動可能に支持される第５の可動ベース部Ｋ５と、該第５の可動ベース部Ｋ５に回動可能に連結されると共に第２可動表示部５６の作動アーム部８５に接続される第６および第７の可動ベース部Ｋ６,Ｋ７とを備えており、第５の可動ベース部Ｋ５が揺動支持部材７０(支持ベース部材６０)に対して揺動するのに伴って、第６および第７の可動ベース部Ｋ６,Ｋ７が第５の可動ベース部Ｋ５に対して相対的に変位するよう構成されている。すなわち、第２可動表示部５６における第５の可動ベース部Ｋ５は、当該第２可動表示部５６を構成する各可動ベース部が変位する際の基準となる基準ベース部である。
【００６１】
前記第５の可動ベース部Ｋ５は、前記第１可動表示部５５における第１の可動ベース部Ｋ１と基本構成が共通することから、詳細な説明は省略し、当該第１の可動ベース部Ｋ１と共通の構成および部材に対して同一の符号を付す。なお、第５の可動ベース部Ｋ５には、第１の可動ベース部Ｋ１に設けられた磁石収容部９５および磁石９６は設けられていない。また、第２可動表示部５６は、第１可動表示部５５における第４の可動ベース部Ｋ４に対応する可動ベース部を備えていないことから、第５の可動ベース部Ｋ５には、第１の可動ベース部Ｋ１に設けられた第４の可動ベース部Ｋ４のガイド構成(すなわちガイド壁部９７、摺動孔９９、ガイド凹部９８ｂ)は設けられていない。
【００６２】
また、前記第６および第７の可動ベース部Ｋ６,Ｋ７は、前記第１可動表示部５５における第２および第３の可動ベース部Ｋ２,Ｋ３と基本構成が夫々共通することから、同じ構成に関する詳細な説明を省略して、当該第２および第３の可動ベース部Ｋ２,Ｋ３と共通の構成および部材に対して同一の符号を付し、異なる部分について説明する。そして、第５の可動ベース部Ｋ５に対する第６および第７の可動ベース部Ｋ６,Ｋ７の連結構造は、前述した前記第１可動表示部５５における第１の可動ベース部Ｋ１に対する第２および第３の可動ベース部Ｋ２,Ｋ３の連結構造と同じである。なお、第５の可動ベース部Ｋ５の左端部に第６の可動ベース部Ｋ６が回動可能に連結され、第５の可動ベース部Ｋ５の右端部に第７の可動ベース部Ｋ７が回動可能に連結されている。なお、第２可動表示部５６の各作動アーム部８５は、基準位置において対応する第１揺動軸部７２から前方へ延出すると共に、作動位置において当該基準位置から前端部の作動凹部８６が下方へ揺動する傾斜姿勢に変位するよう構成されている。
【００６３】
(第２可動表示部５６の第５の可動ベース部Ｋ５について)
前記第５の可動ベース部Ｋ５は、図１０、図１１、図１７に示すように、当該第５の可動ベース部Ｋ５に対応する部分表示部Ｈ５が配設される基体部９２と、該基体部９２に配設されると共に前記第２可動表示部５６の揺動支持部材７０の第２揺動軸部７４に揺動可能に支持される揺動アーム部１０１とを備えており、該第２揺動軸部７４を中心として揺動アーム部１０１が揺動することで、前記第１の表示形態に対応した初期位置と、前記第２の表示形態に対応した可動位置とに変位するよう構成されている。ここで、前記第１の表示形態に対応した初期位置では、前記基体部９２に配設された第５の可動ベース部Ｋ５の部分表示部Ｈ５がパチンコ機１０の正面を向くと共に、前記第２の表示形態に対応した可動位置では、当該第５の可動ベース部Ｋ５の部分表示部Ｈ５がパチンコ機１０の正面下方を向くよう構成されている。なお、以下の説明では、第５の可動ベース部Ｋ５が初期位置にある状態を基準にして説明する。
【００６４】
(第２可動表示部５６の第６および第７の可動ベース部Ｋ６,Ｋ７について)
前記第６および第７の可動ベース部Ｋ６,Ｋ７の夫々は、図１０、図１１、図１７に示すように、当該第６および第７の可動ベース部Ｋ６,Ｋ７の夫々に対応した部分表示部Ｈ６,Ｈ７が配設される基体部１１２,１１２と、該基体部１１２,１１２から対向する可動ベース部Ｋ６,Ｋ７へ向けて延出する遮蔽板１７５,１７６とを備えており、第６および第７の可動ベース部Ｋ６,Ｋ７の基体部１１２,１１２が第５の可動ベース部Ｋ５の基体部９２に対して回動可能に連結されている。そして、前記第６および第７の可動ベース部Ｋ６,Ｋ７が前記第２可動表示部５６の左右の作動アーム部８５に夫々対応して接続されており、前記駆動モータ６３Ａ,６３Ｂを駆動して第２可動表示部５６の作動アーム部８５を作動させることで、第５〜第７の可動ベース部Ｋ５〜Ｋ７が前記第１の表示形態に対応した初期位置と、前記第２の表示形態に対応した可動位置とに変位するよう構成されている。
【００６５】
すなわち、第２可動表示部５６は、基準位置から作動位置に向けて作動凹部８６が下方移動するよう前記第２可動表示部５６の左右の作動アーム部８５が揺動することで、前記各連係軸部１１９(第６および第７の可動ベース部Ｋ６,Ｋ７)が下方へ移動し、第６および第７の可動ベース部Ｋ６,Ｋ７が連結された前記第５の可動ベース部Ｋ５が初期位置から可動位置へ揺動される。ここで、前記第５の可動ベース部Ｋ５の揺動アーム部１０１と、前記作動アーム部８５の揺動中心(すなわち第１揺動軸部７２および第２揺動軸部７４)が異なることで、第５の可動ベース部Ｋ５の揺動に伴って前記軸支持部９３ａと連係軸部１１９の相対位置が変化するから、これに伴って前記第６および第７の可動ベース部Ｋ６,Ｋ７が対応する軸支持部９３ａを中心として第５の可動ベース部Ｋ５に対して相互に離間(拡開)するよう初期位置から可動位置へ回動するよう構成されている。すなわち、基準位置から作動位置に第２可動表示部５６の作動アーム部８５が揺動することで、第５〜第７の可動ベース部Ｋ５〜Ｋ７を第１の表示形態に対応した初期位置から第２の表示形態に対応した可動位置に変位させ得るよう構成されている。
【００６６】
また、作動位置から基準位置に向けて作動凹部８６が上方移動するよう前記第２可動表示部５６の左右の作動アーム部８５が揺動することで、前記各連係軸部１１９(第６および第７の可動ベース部Ｋ６,Ｋ７)が上方へ移動し、第６および第７の可動ベース部Ｋ６,Ｋ７が連結された前記第５の可動ベース部Ｋ５が可動位置から初期位置へ揺動される。ここで、前記第５の可動ベース部Ｋ５の揺動アーム部１０１と、前記作動アーム部８５の揺動中心(すなわち第１揺動軸部７２および第２揺動軸部７４)が異なることで、前述と同様に、第５の可動ベース部Ｋ５の揺動に伴って前記軸支持部９３ａと連係軸部１１９の相対位置が変化するから、これに伴って前記第６および第７の可動ベース部Ｋ６,Ｋ７が対応する軸支持部９３ａを中心として第５の可動ベース部Ｋ５に対して相互に近接するよう可動位置から初期位置へ回動するよう構成されている。すなわち、作動位置から基準位置に第２可動表示部５６の作動アーム部８５が揺動することで、第５〜第７の可動ベース部Ｋ５〜Ｋ７を第２の表示形態に対応した可動位置から第１の表示形態に対応した初期位置に変位させ得るよう構成されている。
【００６７】
ここで、図１７、図１８に示すように、前記第６および第７の可動ベース部Ｋ６,Ｋ７の基体部１１２,１１２には、当該第６および第７の可動ベース部Ｋ６,Ｋ７の支持枠部１１４の上端部位置に、磁石(磁着部材)１７３が収容される磁石収容部１７２が夫々形成されている。すなわち、前記第１可動表示部５５および第２可動表示部５６が第１の表示形態にある状態で、第１可動表示部５５の第２および第３の可動ベース部Ｋ２,Ｋ３に対向する第６および第７の可動ベース部Ｋ６,Ｋ７の対向部に磁石収容部１７２(磁石１７３)が設けられている。そして、第１可動表示部５５および第２可動表示部５６が第１の表示形態にある状態で、前記第２の可動ベース部Ｋ２に設けられた磁石１１６と、第６の可動ベース部Ｋ６に設けられた磁石１７３とが相互に磁着すると共に、前記第３の可動ベース部Ｋ３に設けられた磁石１１６と、第７の可動ベース部Ｋ７に設けられた磁石１７３とが相互に磁着するよう構成され、相対的に近接および離間するよう変位する第１可動表示部５５および第２可動表示部５６が第１の表示形態にある状態で、各部分表示部Ｈ１〜Ｈ７により形成される外形形状を一定形状に保持し得るようになっている。
【００６８】
また、図１７、図１８に示すように、前記第２可動表示部５６は、該第２可動表示部５６が第１の表示形態にある状態で、前記第６の可動ベース部Ｋ６に形成された遮蔽板１７５の延出端部と、前記第７の可動ベース部Ｋ７に形成された遮蔽板１７６の延出端部同士とが当接するよう構成されている。なお、前記第５の可動ベース部Ｋ５には、基体部９２の上端部から上方へ延出する遮蔽板１６１が形成されており、第２可動表示部５６が第１の表示形態にある状態で、前記第６および第７の可動ベース部Ｋ６,Ｋ７の各遮蔽板１７５,１７６の下端部と、第５の可動ベース部Ｋ５の遮蔽板１６１の上端部とが当接するよう構成されている。すなわち、第１の表示形態において、前記第５〜第７の可動ベース部Ｋ５〜Ｋ７の基体部９２,１１２,１１２(部分表示部Ｈ５〜Ｈ７)の間が、第５〜第７の可動ベース部Ｋ５〜Ｋ７の遮蔽板１６１,１７５,１７６で覆われるよう構成されており、第２可動表示部５６の裏側に配設された前記可動演出部２００がパチンコ機１０の前面側に露出しないよう構成されている。
【００６９】
また、図１７、図１８に示すように、前記第６の可動ベース部Ｋ６の遮蔽板１７５には、前記第７の可動ベース部Ｋ７の遮蔽板１７６に当接する右上端部に、磁石１７８(磁着部材)が収容される磁石収容部１７７が形成され、同様に第７の可動ベース部Ｋ７の遮蔽板１７６には、第６の可動ベース部Ｋ６の遮蔽板１７５に当接する左上端部に、磁石(磁着部材)１７８が収容される磁石収容部１７７が形成されている。そして、第１の表示形態(すなわち第６および第７の可動ベース部Ｋ６,Ｋ７が初期位置にある状態)において、前記第６の可動ベース部Ｋ６および第７の可動ベース部Ｋ７の磁石１７８,１７８が相互に磁着するよう構成され、第２可動表示部５６が第１の表示形態および第２の表示形態の間で変形する際に相対的に近接および離間するよう変位する第６の可動ベース部Ｋ６および第７の可動ベース部Ｋ７が第１の表示形態にある状態で、各部分表示部Ｈ５〜Ｈ７により形成される外形形状を一定形状に保持し得るようになっている。
【００７０】
前記第６および第７の可動ベース部Ｋ６,Ｋ７の夫々に設けられた各磁石収容部１７７,１７７(磁石１７８,１７８)は、第１可動表示部５５および第２可動表示部５６が第１の表示形態にある状態で、当該第１可動表示部５５の第４の可動ベース部Ｋ４に配設された前記第２の金属板１３６と対向するよう構成されている。すなわち、前記第６の可動ベース部Ｋ６および第７の可動ベース部Ｋ７の磁石１７８,１７８が前記第４の可動ベース部Ｋ４に配設された前記第２の金属板１３６に対して磁着するよう構成され、相対的に近接および離間するよう変位する第１可動表示部５５および第２可動表示部５６が第１の表示形態にある状態で、当該第１可動表示部５５および第２可動表示部５６を構成する各部分表示部Ｈ１〜Ｈ７により形成される外形形状を一定形状に保持し得るようになっている。なお、前記第６および第７の可動ベース部Ｋ６,Ｋ７の各磁石収容部１７７,１７７の後方開口は、各可動ベース部Ｋ６,Ｋ７の基体部１１２,１１２の後面側に配設された蓋体１７９により塞がれるよう構成され、各磁石収容部１７７,１７７から磁石１７８,１７８が脱落しないよう構成されている。
【００７１】
(部分表示部Ｈ１〜Ｈ７について)
次に、前記第１可動表示部５５および第２可動表示部５６に設けられた各部分表示部Ｈ１〜Ｈ７について説明する。なお、各部分表示部Ｈ１〜Ｈ７の形状および構成は、互いに共通していることから、図１９に示すように、第１の可動ベース部Ｋ１に設けられる部分表示部Ｈ１を例示して以下説明する。
【００７２】
実施例の各可動ベース部Ｋ１〜Ｋ７に設けられる部分表示部Ｈ１〜Ｈ７は、図１９に示すように、各可動ベース部Ｋ１〜Ｋ７に設けられた前記支持枠部９４,１１４,１３４の外形形状に整合する形状に形成されて部分表示部Ｈ１〜Ｈ７の前面をなし、対応する可動ベース部Ｋ１〜Ｋ７の基体部９２,１１２,１３２に対向する光透過性の前面レンズ部１８１と、各支持枠部９４,１１４,１３４の外形形状に整合して前後に開口する枠状に形成され、前面レンズ部１８１および支持枠部９４,１１４,１３４の間に挟持される外形枠部１８４と、各可動ベース部Ｋ１〜Ｋ７における対応する前面レンズ部１８１および基体部９２,１１２,１３２の間に配設され、当該前面レンズ部１８１へ向けて光を照射する発光体としてのＬＥＤ１８３を複数実装したＬＥＤ基板１８２とを備え、当該ＬＥＤ基板１８２のＬＥＤ１８３を点灯および消灯することで、前面レンズ部１８１が発光するよう構成されている。なお、前記前面レンズ部１８１は、ダイヤカットやシボ加工等の適宜の光拡散処理が施されている。また、前記前面レンズ部１８１およびＬＥＤ基板１８２の間には、前記各ＬＥＤ１８３との対応位置に凸レンズ部１８５ａが形成された中間レンズ部１８５が前面レンズ部１８１の後面側全体を覆うよう配設されると共に、各ＬＥＤ１８３との対応位置に前後に貫通する光透過孔１８６ａが形成された反射板１８６が中間レンズ部１８５の後面側全体を覆うよう配設してある。すなわち、ＬＥＤ基板１８２のＬＥＤ１８３を発光させた際に、反射板１８６で光を反射させつつ中間レンズ部１８５や前面レンズ部１８１で光拡散させることにより、各可動ベース部Ｋ１〜Ｋ７の部分表示部Ｈ１〜Ｈ７の夫々を、個別全体的に発光させ得るようになっている。
【００７３】
このように、第１〜第７の可動ベース部Ｋ７に設けられる各部分表示部Ｈ１〜Ｈ７は、図６に示すように、第１の表示形態での正面視において横長または縦長の六角形状をなすよう形成されると共に、７つの部分表示部Ｈ１〜Ｈ７により７セグメント表示部を形成するよう構成されている。また、第１〜第７の可動ベース部Ｋ７に設けられた部分表示部Ｈ１〜Ｈ７は、各ＬＥＤ基板１８２のＬＥＤ１８３を個別に点灯および消灯するよう制御され、当該７つの部分表示部Ｈ１〜Ｈ７の全体で図柄を表示するよう構成されている。ここで、実施例では、部分表示部Ｈ１〜Ｈ７には、前記ＬＥＤ１８３としてフルカラーＬＥＤが採用されており、前記第１可動表示部５５や第２可動表示部５６が第２の表示形態に変形させた際に、多彩な色彩で部分表示部Ｈ１〜Ｈ７を発光させることにより優れた発光演出を行い得るようになっている。
【００７４】
(可動演出部２００について)
次に、前記第１の表示形態にある第１および第２可動表示部５５,５６の後側に配設される前記可動演出部２００について簡単に説明する。前記可動演出部２００は、図２１に示すように、前記固定部材５２の後面側に固定される基台部２０１と、該基台部２０１の前面上部側に配設された駆動手段としての駆動モータ２１５と、該基台部２０１の前面側に設けられた揺動基部２０２に揺動可能に枢支されて前方へ延出する第１揺動部材２０３と、当該揺動基部２０２に揺動可能に枢支され、前記固定部材５２の設置開口部５３を介して前方へ延出すると共に下方へ延出する第２揺動部材２０４とを備え、当該駆動モータ２１５が第１揺動部材２０３に接続されている。前記第２揺動部材２０４は、前記揺動基部２０２に対して支持された枢支部から前方へ延出する第１アーム部２０４ａと、該枢支部から下方へ延出する第２アーム部２０４ｂとを備えており、前記第１揺動部材２０３と第２揺動軸部７４の第１アーム部２０４ａとがリンク部材２０５を介して相互に連結されている。そして、前記第１揺動部材２０３の前端部に、適宜のデザインで形成された第１飾り部材２０６が取り付けられると共に、第２揺動部材２０４における第１アーム部２０４ａの前端部に、適宜のデザインで形成された第２飾り部材２０７が取り付けられている。
【００７５】
また、図２１に示すように、前記基台部２０１の下部位置には、前方へ突出する支持脚部２０１ａが形成されると共に、当該支持脚部２０１ａの前端部に、前記第２アーム部２０４ｂに接続された装飾可動体２０８が揺動可能に枢支されている。前記装飾可動体２０８は、非作動状態において前記第２飾り部材２０７の下方に位置する第３飾り部材２０９と、前記第２揺動部材２０４の第２アーム部２０４ｂに接続された第４飾り部材２１０とを備えており、非作動状態において第４飾り部材２１０の前側を第１〜第３飾り部材２０９で被覆するよう構成されている。そして、前記駆動モータ２１５の駆動に伴い前記第１揺動部材２０３が上方へ変位するよう揺動すると共に、リンク部材２０５を介して連結された第１揺動部材２０３が上方へ変位するよう揺動し、該第２揺動部材２０４の第２アーム部２０４ｂが前方へ変位するのに伴って、当該第２アーム部２０４ｂに連結された前記装飾可動体２０８が前方へ変位するよう揺動する。すなわち、前記駆動モータ２１５の駆動に伴い前記第１および第２の飾り部材が上方へ変位すると共に、該第２揺動部材２０４の第２アーム部２０４ｂが前方へ変位するよう構成されている。ここで、前記第１可動表示部５５および第２可動表示部５６が第１の表示形態にある状態では、前記可動演出部２００の各飾り部材２０６,２０７,２０９,２１０が前方から視認不能に第１可動表示部５５および第２可動表示部５６で覆われている。そして、前記第１可動表示部５５および第２可動表示部５６の第２の表示形態への変形に伴って、該第１可動表示部５５および第２可動表示部５６の間に画成される演出領域Ｓに可動演出部２００が臨んで、パチンコ機１０の前面側から視認可能に露出するよう構成されている。
【００７６】
ここで、図２１に示すように、前記第２飾り部材２０７の最大回転半径Ｒは、前記第１可動表示部５５および第２可動表示部５６が第１の表示形態にある状態における前記前記揺動基部２０２に対する第２揺動部材２０４の枢支部から第１可動表示部５５および第２可動表示部５６の可動ベース部Ｋ１〜Ｋ７までの最短距離Ｌよりも大きくなるよう形成されている。すなわち、前記可動演出部２００の駆動モータ２１５の駆動に伴って第２飾り部材２０７を揺動した際に、第１の表示形態における前記第１可動表示部５５および第２可動表示部５６よりも第２飾り部材２０７が前方へ迫り出すように当該第１可動表示部５５および第２可動表示部５６の間の演出領域Ｓに動作するよう構成されている。
【００７７】
(実施例の作用について)
次に、前述した実施例に係るパチンコ機１０の作用に関して説明する。
【００７８】
前記中枠１２の前面側に設けられた前記操作ハンドル１６を遊技者が回転操作すると、打球発射装置から発射されたパチンコ球が前記遊技盤２０に設けた案内レール２２により画成された遊技領域２１内に打ち出されて、遊技釘２６等に接触して流下方向を変更しながら当該遊技領域２１の第１球流下領域２１ａまたは第２球流下領域２１ｂを流下する。そして、前記遊技領域２１(第１球流下領域２１ａまたは第２球流下領域２１ｂ)を流下する過程で、パチンコ球が第１始動入賞部３１または第２始動入賞部３２の始動入賞口３１ａ,３２ａに入賞することを契機として大当り抽選が行われ、大当りに当選した場合には、図柄変動演出の結果として、図柄表示装置１７に所定の図柄組み合わせで図柄が表示される。そして、大当りの種類に応じて、前記遊技盤２０に設けられた第１特別入賞部４１または第２特別入賞部４２の開閉扉４１ｂ,４２ｂが開放して、開放した特別入賞部４１,４２の特別入賞口４１ａ,４２ａの入賞口へパチンコ球を入賞させ得る大当り遊技が生起されて、多数の賞球の獲得機会が与えられる。
【００７９】
ここで、前記図柄表示装置１７を構成する可動図柄表示部５０は、第１可動表示部５５および第２可動表示部５６から構成されており、第１始動入賞部３１または第２始動入賞部３２の始動入賞口３１ａ,３２ａへのパチンコ球の入賞を契機として所定の作動条件が成立した場合に、各可動表示部５５,５６の駆動モータ６３Ａ,６３Ｂが駆動されることで、第１可動表示部５５を構成する第１〜第４の可動ベース部Ｋ１〜Ｋ４が第１の表示形態から第２の表示形態に変形すると共に、第２可動表示部５６を構成する第５〜第７の可動ベース部Ｋ５〜Ｋ７が第１の表示形態から第２の表示形態に変形するよう動作される。このように、実施例のパチンコ機１０では、可動演出を行うために設けられた専用の可動部材を動作させる構成と異なり、図柄変動演出が行われる演出表示部としての可動図柄表示部５０の表示部(部分表示部Ｈ１〜Ｈ７)そのものを、外形形状の異なる第１の表示形態と第２の表示形態とに変形するよう可動するから、可動演出に伴う意外性を高めることができ、遊技の興趣を向上させることができる。すなわち、可動図柄表示部５０において図柄変動演出が実行されている途中で、当該可動図柄表示部５０の表示部(部分表示部Ｈ１〜Ｈ７)が変形することで、遊技者に与えるインパクトを格段と高めることができる。このように、図柄変動演出が行われる可動図柄表示部５０の表示部(部分表示部Ｈ１〜Ｈ７)の外形形状が変形するよう動作することで、可動演出が行われた際の意外性を高めて遊技の興趣を向上することができる。
【００８０】
また、図柄変動演出が実行される可動図柄表示部５０の表示部(部分表示部Ｈ１〜Ｈ７)そのものが変形するよう可動することで、遊技者が可動演出を見逃すことはなく、可動演出の実行を遊技者に確実に把握させることができる。また、可動図柄表示部５０において図柄変動演出が表示される表示部(部分表示部Ｈ１〜Ｈ７)により形成される外形形状を変化させることで、図柄表示装置１７(可動図柄表示部５０)で行われる図柄変動演出と可動図柄表示部５０による可動演出との一体感を高めることが可能となる。
【００８１】
また、前記可動図柄表示部５０は、部分表示部Ｈ１〜Ｈ４を備えた第１可動表示部５５と、部分表示部Ｈ５〜Ｈ７を備えた第２可動表示部５６とを備えており、当該第１可動表示部５５および第２可動表示部５６を相対的に近接および離間させることで、第１の表示形態と第２の表示形態とに変形するから、単に図柄変動演出が表示される表示部(部分表示部Ｈ１〜Ｈ７)を分割するよう変形させることができる。すなわち、従来のパチンコ機のように、所定位置で図柄変動演出を行うだけでなく、表示部(部分表示部Ｈ１〜Ｈ７)が分割する意外性の高い演出が可能となる。第１および第２可動表示部５５,５６の表示部(部分表示部Ｈ１〜Ｈ７)での図柄変動演出と、第１および第２可動表示部５５,５６の表示部(部分表示部Ｈ１〜Ｈ７)による可動演出の他に、第１および第２可動表示部５５,５６の間に画成される演出領域Ｓにおいて別の演出を行うことが可能となるから、可動図柄表示部５０の表示部(部分表示部Ｈ１〜Ｈ７)の変形動作による意外性を高めるだけでなく、演出のバリエーションを豊かにして、遊技の興趣を向上させることができる。
【００８２】
実施例では、第１の表示形態にある第１および第２可動表示部５５,５６の表示部(部分表示部Ｈ１〜Ｈ７)の後側に可動演出部２００を配置して、当該第１および第２可動表示部５５,５６の表示部(部分表示部Ｈ１〜Ｈ７)が第２の表示形態に変形するのに伴い、両可動表示部５５,５６における可動ベース部Ｋ１〜Ｋ７の間の演出領域Ｓに可動演出部２００が臨んでパチンコ機１０の前面側に露出するようになっている。これにより、第１および第２可動表示部５５,５６の表示部(部分表示部Ｈ１〜Ｈ７)が第１の表示形態にある状態で行われる図柄変動演出と、第１および第２可動表示部５５,５６の表示部(部分表示部Ｈ１〜Ｈ７)の第１の表示形態から第２の表示形態への変形による可動演出の他に、第１および第２可動表示部５５,５６の表示部(部分表示部Ｈ１〜Ｈ７)が第２の表示形態に変形することに伴い画成された演出領域Ｓにおいて、別の可動演出部２００による可動演出を行うことが可能となるから、第１および第２可動表示部５５,５６の表示部(部分表示部Ｈ１〜Ｈ７)の変形動作による意外性を高めるだけでなく、演出のバリエーションを豊かにして、遊技の興趣を向上させることができる。
【００８３】
しかも、実施例の可動演出部２００は、可動演出部２００の駆動モータ２１５の駆動に伴って第２飾り部材２０７を揺動した際に、第１の表示形態における前記第１可動表示部５５および第２可動表示部５６よりも第２飾り部材２０７が前方へ迫り出すように演出領域Ｓで動作するよう構成したから、上下方向に可動する第１および第２可動表示部５５,５６の動作に加えて、前後方向に可動する可動演出部２００を組み合わせた演出が可能となる。すなわち、実施例のパチンコ機１０では、第２の表示形態に変形することに伴い画成された演出領域Ｓに、可動演出部２００が単に露出するだけでなく、第１の表示形態での第１および第２可動表示部５５,５６の表示部(部分表示部Ｈ１〜Ｈ７)による図柄の表示位置よりも、可動演出部２００が前方へ迫り出す立体的な可動演出を行い得るよう構成したことで、立体感のある可動演出を実現して遊技の興趣を高めることができる。
【００８４】
また、前記第１可動表示部５５および第２可動表示部５６の夫々は、相互に近接および離間するよう動作の他に、当該第１可動表示部５５を構成する可動ベース部Ｋ１〜Ｋ４および第２可動表示部５６を構成する可動ベース部Ｋ５〜Ｋ７を、可動表示部５５,５６毎に変形させ得る。すなわち、第１可動表示部５５および第２可動表示部５６を第１の表示形態および第２の表示形態に変形させた際に、可動図柄表示部５０の表示部(部分表示部Ｈ１〜Ｈ７)が上下に分割するよう動作するだけでなく、上方へ揺動する第１可動表示部５５の可動ベース部Ｋ１〜Ｋ４および下方へ揺動する第２可動表示部５６の可動ベース部Ｋ５〜Ｋ７が更に変形して第１の表示形態から第２の表示形態に切り替わるから、演出効果の高い可動演出を実現できる。ここで、前記第１および第２可動表示部５５,５６を構成する可動ベース部Ｋ１〜Ｋ７の夫々に、図柄変動演出を部分的に表示する部分表示部Ｈ１〜Ｈ７を個別に配設してあるから、第１の表示形態および第２の表示形態での変形に伴って、可動図柄表示部５０の表示部(部分表示部Ｈ１〜Ｈ７)が上下に分割すると同時に更に外形形状が変形する意外性の高い演出が可能となる。更に、可動図柄表示部５０の表示部(部分表示部Ｈ１〜Ｈ７)を分割と同時に変形させることで、当該可動図柄表示部５０の表示部(部分表示部Ｈ１〜Ｈ７)で行われる図柄変動演出と、可動図柄表示部５０の表示部(部分表示部Ｈ１〜Ｈ７)による可動演出との一体感を高めることが可能となる。
【００８５】
更に、前記第１可動表示部５５は、第１の表示形態から第２の表示形態に変形する際に、第２可動表示部５６から離間するよう上方へ揺動する基準ベース部としての第１の可動ベース部Ｋ１に対して、第２および第３の可動ベース部Ｋ２,Ｋ３が相互に離間するよう動作し、第１の可動ベース部Ｋ１に対して近接した第４の可動ベース部Ｋ４が当該第２および第３の可動ベース部Ｋ２,Ｋ３の間に収まるよう動作する。すなわち、第１の表示形態から第２の表示形態に第１可動表示部５５が変形する際に、当該第１可動表示部５５を構成する各可動ベース部Ｋ１〜Ｋ４の夫々が第２可動表示部５６から離間するよう移動するから、第２可動表示部５６との間に形成される演出領域Ｓを大きく確保することができ、大型の可動演出部２００を演出領域Ｓに臨ませることが可能となるから、大型の可動演出部２００を演出領域Ｓに臨ませることができ、第１可動表示部５５の変形動作による意外性を高めるだけでなく、演出のバリエーションを豊かにして、遊技の興趣を向上させることができる。
【００８６】
同様に、前記第２可動表示部５６は、第１の表示形態から第２の表示形態に変形する際に、第１可動表示部５５から離間するよう下方へ揺動する基準ベース部としての第５の可動ベース部Ｋ５に対して、第６および第７の可動ベース部Ｋ６,Ｋ７が相互に離間するよう動作する。すなわち、第１の表示形態から第２の表示形態に第２可動表示部５６が変形する際に、当該第２可動表示部５６を構成する各可動ベース部Ｋ５〜Ｋ７の夫々が第１可動表示部５５から離間するよう移動するから、第１可動表示部５５との間に形成される演出領域Ｓを大きく確保することができ、大型の可動演出部２００を演出領域Ｓに臨ませることが可能となるから、第２可動表示部５６の変形動作による意外性を高めるだけでなく、演出のバリエーションを豊かにして、遊技の興趣を向上させることができる。
【００８７】
また、前記第１の表示形態では、前記第１可動表示部５５(第４の可動ベース部Ｋ４)に設けた第２の金属板１３６に対して、前記第２可動表示部５６(第６および第７の可動ベース部Ｋ６,Ｋ７)に設けた磁石１７８,１７８が磁着するよう構成したことで、当該第１の表示形態において対向する第１可動表示部５５の第４の可動ベース部Ｋ４と、第２可動表示部５６の第６および第７の可動ベース部Ｋ６,Ｋ７とを一定の位置関係で保持することができる。従って、実施例のように可動図柄表示部５０の表示部(部分表示部Ｈ１〜Ｈ７)が上下に分割するよう変形する構成にあって、第１の表示形態で図柄変動演出を行った際に、当該図柄変動演出に違和感を生じさせるのを防止し得る。また、第１の表示形態において、第１可動表示部５５(第４の可動ベース部Ｋ４)と第２可動表示部５６(第６および第７の可動ベース部Ｋ６,Ｋ７)との間に無用な隙間が生ずるのを防止できるから、可動図柄表示部５０の表示部(部分表示部Ｈ１〜Ｈ７)において図柄変動演出を正確に行うことができると共に、当該可動図柄表示部５０の表示部(部分表示部Ｈ１〜Ｈ７)の後方に配置した可動演出部２００が露出するのを防止することができる。また、前記第６および第７の可動ベース部Ｋ６,Ｋ７に設けた磁石１７８,１７８は、第１の表示形態において相互に磁着するよう構成してあるから、第６および第７の可動ベース部Ｋ６,Ｋ７の遮蔽板１７５,１７６の延出端部を確実に当接させた状態で保持することができ、両遮蔽板１７５,１７６の間に隙間が生じて後方に位置する可動演出部２００の露出するのを防ぐことができる。
【００８８】
また、実施例の可動図柄表示部５０では、第１可動表示部５５の第２および第３の可動ベース部Ｋ２,Ｋ３に設けた磁石１１６,１１６の夫々と、対応する第２可動表示部５６の第６および第７の可動ベース部Ｋ６,Ｋ７に設けた磁石１７３,１７３とが磁着するよう構成されている。すなわち、前記第１可動表示部５５の第２の金属板１３６と第２可動表示部５６の磁石１７８,１７８との磁着により、可動表示部５５,５６の左右方向の略中間位置を磁着保持すると共に、当該第１可動表示部５５の磁石１１６,１１６と、第２可動表示部５６の磁石１７３,１７３との磁着により、可動表示部５５,５６の左右両端側を磁着保持することにより、第１可動表示部５５の各可動ベース部Ｋ１〜Ｋ４の夫々と、第２可動表示部５６の各可動ベース部Ｋ５〜Ｋ７の夫々とをより正確に一定の位置関係で保持することができる。
【００８９】
また、前記第２の表示形態では、前記第１可動表示部５５(第４の可動ベース部Ｋ４)に設けた第１の金属板１３５に対して、当該第１可動表示部５５(第１の可動ベース部Ｋ１)に設けた磁石９６が磁着するよう構成したことで、当該第２の表示形態において対向する第１可動表示部５５の第１の可動ベース部Ｋ１および第４の可動ベース部Ｋ４を一定の位置関係で保持することができる。従って、第１の表示形態から第２の表示形態への変形に伴って上方移動した第１可動表示部５５の第１の可動ベース部Ｋ１および第４の可動ベース部Ｋ４を磁着保持することで、当該第２の表示形態を維持することができ、演出領域Ｓにおいて可動演出部２００の可動演出を行った際に、当該可動演出部２００が第１可動表示部５５の第４の可動ベース部Ｋ４と干渉するのを効果的に防止することができる。
【００９０】
(変更例)
なお、遊技機としては、前述したものに限らず、種々の変更が可能である。
【００９１】
(１)  実施例では、図柄変動演出を表示可能な演出表示部として、図柄表示装置１７の３つの図柄表示部の内で、１つの図柄表示部を外形形状が変形する可動図柄表示部としたが、可動図柄表示部を２以上設けてもよい。具体的には、３つの図柄表示部の内の左側の図柄表示部や右側の図柄表示部を可動図柄表示部とするようにしてもよい。
(２)  実施例では、演出表示部としての可動図柄表示部で１つの図柄を表示するよう構成したが、１つの可動図柄表示部で２つ以上の図柄を表示するようにしてもよい。例えば、１つの可動図柄表示部に、左・中・右の各図柄表示部を設けるようにしてもよい。
(３)  実施例では、演出表示部としての可動図柄表示部に、相対的に近接および離間するよう移動可能な可動体として２つの可動表示部を設けたが、３つ以上の可動体(可動表示部)を設けて相互に近接および離間するよう動作可能に構成してもよい。
(４)  実施例では、演出表示部としての可動図柄表示部に、可動体としての第１可動表示部(第１の可動体)および第２可動表示部(第２の可動体)を設けて、各可動表示部を上下方向に揺動するよう構成したが、これに限られるものではなく，左右方向に揺動するよう可動体としての可動表示部を設けるようにしてもよい。また、揺動する構成に限らず、遊技盤の盤面(前面)と平行な方向に平行移動するよう構成したり、前後方向に移動するよう構成してもよい。
(５)  実施例では、演出表示部としての可動図柄表示部に、相対的に近接および離間するよう移動可能な可動体としての第１可動表示部および第２可動表示部の夫々を相互に近接および離間するよう移動可能に構成したが、駆動手段の駆動に伴い、何れか一方の可動表示部を他方の可動表示部に対して近接および離間するよう移動可能に構成し、当該他方の可動表示部を単独で動作しないようにしてもよい。例えば、実施例の第１可動表示部における各可動ベース部を初期位置と可動位置に移動するよう構成すると共に、第２可動表示部を遊技盤の板状部材や設置部材に移動不能に固定的に配設するようにしても、第１および第２可動表示部を相対的に近接および離間させて第１の表示形態と第２の表示形態とに変形させることができる。
(６)  実施例では、第１可動表示部を相対的に変位するよう動作可能な４つの可動体としての可動ベース部から構成し、第２可動表示部を相対的に変位するよう動作可能な３つの可動体としての可動ベース部から構成したが、各可動表示部における可動ベース部の構成数はこれに限られるものではなく、２つあるいは５つ以上の可動ベース部により可動表示部を構成するようにしてもよい。また、可動表示部を１つの可動ベース部から構成し、当該可動表示部を複数設けるようにしてもよい。
(７)  実施例の第１可動表示部は、第１の可動ベース部に対して第２および第３の可動ベース部を相互に近接および離間するよう回動可能に支持すると共に、当該第２および第３の可動ベース部に対して第４の可動ベース部を回動可能に支持し、第１の表示形態から第２の表示形態への変形に伴い、相互に離間した第２および第３の可動ベース部の間に第４の可動ベース部が第１の可動ベース部に近接移動するよう構成したが、これに限られるものではない。すなわち、表示部が所定の外形形状をなして図柄変動演出を表示可能な第１の表示形態と、当該表示部が第１の表示形態とは異なった外形形状をなす第２の表示形態とに変形し得るものであれば、動作の形態は任意に変更することができる。同様に、実施例の第２可動表示部は、第５の可動ベース部に対して第６および第７の可動ベース部を相互に近接および離間するよう回動可能に支持し、第１の表示形態から第２の表示形態への変形に伴い、第６および第７の可動ベース部が相互に離間するよう構成したが、これに限られるものではない。すなわち、表示部が所定の外形形状をなして図柄変動演出を表示可能な第１の表示形態と、当該表示部が第１の表示形態とは異なった外形形状をなす第２の表示形態とに変形し得るものであれば、動作の形態は任意に変更することができる。
(８)  実施例では、第１の表示形態から第２の表示形態に変形した際に、演出表示部としての可動図柄表示部の表示部をなす各部分表示部が図柄を表示しない形態に変形するよう構成したが、第２の表示形態において図柄を表示し得るようにすることも可能である。
(９)  実施例では、第１の表示形態にある演出表示部としての可動図柄表示部の後側に、駆動手段により動作される別の可動体としての可動演出部を配置するよう構成したが、演出表示部としての可動図柄表示部の後側に、当該演出表示部とは異なる演出表示を行う第２の演出表示部を配置するよう構成してもよい。例えば、第１の表示形態にある演出表示部としての可動図柄表示部の後側に、液晶表示パネルやドットマトリックス表示器、ドラム表示器等の演出表示部を配置してもよい。この場合にも前述の実施例と同様に、第１の表示形態にある演出表示部の後側に第２の演出表示部を配置して、当該演出表示部が第２の表示形態に変形するのに伴い、複数のベース部の間の演出領域に第２の演出表示部が臨んで遊技機前面側に露出させることで、演出表示部での図柄変動演出と、演出表示部による可動演出の他に、演出領域において第２の演出表示部による演出を行うことが可能となるから、演出表示部の変形動作による意外性を高めるだけでなく、演出のバリエーションを豊かにして、遊技の興趣を向上させることができる。
(１０)  実施例では、演出表示部としての可動図柄表示部の可動体(可動表示部や可動ベース部)に対して、部分表示部として発光手段(ＬＥＤ)を配設し、各部分表示部により７セグメント表示部を形成するよう構成したが、これに限られるものではない。すなわち、可動図柄表示部を構成する各可動ベース部に対して、画像や映像等を表示可能な液晶表示パネルや有機ＥＬパネル等を配設することにより図柄変動演出を表示するよう構成してもよい。
(１１)  実施例では、可動体としての可動表示部に設けられた複数の部分表示部により図柄変動演出を表示する表示部の全体を形成するようにしたが、可動体としての可動表示部に設けられた複数の部分表示部により図柄変動演出を表示する表示部を部分的に形成するよう構成し、遊技盤の板状部材や設置部材に当該可動表示部とは別に別途設けられた部分表示部と組み合わせることで、図柄変動演出を表示する表示部の全体が形成されるようにしてもよい。
(１２)  実施例では、遊技機としてパチンコ機を例示して説明したが、これに限られるものではなく、アレンジボール機やピンボール機、回胴式遊技機(スロットマシン機)等の従来公知の各種遊技機を採用し得る。すなわち、図柄変動演出を表示可能な演出表示部を備え、当該演出表示部に所定の当り表示が表示されることで当りが生起されるよう構成された遊技機に対して好適に採用可能である。
【００９２】
また本願には、例えば次のような技術的思想が含まれている。
(Ａ)  請求項２に記載の構成を含む遊技機に関し、
前記第１の表示形態にある演出表示部(50)の後側に、駆動手段(215)により動作される可動体(200)が配置されて、該演出表示部(50)が第２の表示形態に変形することで、前記演出領域(S)に可動体(200)が臨んで遊技機前面側に露出するよう構成されたことを要旨とする。
このように、第１の表示形態にある演出表示部の後側に可動体を配置して、当該演出表示部が第２の表示形態に変形するのに伴い、複数のベース部の間の演出領域に可動体が臨んで遊技機前面側に露出させるようにしたことで、演出表示部での図柄変動演出と、演出表示部による可動演出の他に、演出領域において別の可動体による可動演出を行うことが可能となるから、演出表示部の変形動作による意外性を高めるだけでなく、演出のバリエーションを豊かにして、遊技の興趣を向上させることができる。
(Ｂ)  請求項２に記載の構成を含む遊技機に関し、
前記第１の表示形態にある演出表示部(50)の後側に、演出表示部(50)とは異なる演出表示を行う第２の演出表示部が配置されて、該演出表示部(50)が第２の表示形態に変形することで、前記演出領域(S)に第２の演出表示部が臨んで遊技機前面側に露出するよう構成されたことを要旨とする。
このように、第１の表示形態にある演出表示部の後側に第２の演出表示部を配置して、当該演出表示部が第２の表示形態に変形するのに伴い、複数のベース部の間の演出領域に第２の演出表示部が臨んで遊技機前面側に露出させるようにしたことで、演出表示部での図柄変動演出と、演出表示部による可動演出の他に、演出領域において第２の演出表示部による演出を行うことが可能となるから、演出表示部の変形動作による意外性を高めるだけでなく、演出のバリエーションを豊かにして、遊技の興趣を向上させることができる。
【符号の説明】
【００９３】
５０  可動図柄表示部(演出表示部)
５５  第１可動表示部(第１の可動部)
５６  第２可動表示部(第２の可動部)
９６  磁石(第２の磁着手段)
１１６  磁石(磁着手段)
１３５  第１の金属板(第２の磁着手段)
１３６  第２の金属板(磁着手段)
１７３  磁石(磁着手段)
１７８  磁石(磁着手段)
Ｋ１  第１の可動ベース部(可動部、基準ベース部)
Ｋ２  第２の可動ベース部(可動部、可動ベース部)
Ｋ３  第３の可動ベース部(可動部、可動ベース部)
Ｋ４  第４の可動ベース部(可動部、可動ベース部)
Ｋ５  第５の可動ベース部(可動部、基準ベース部)
Ｋ６  第６の可動ベース部(可動部、可動ベース部)
Ｋ７  第７の可動ベース部(可動部、可動ベース部)
Ｈ１〜Ｈ７  部分表示部(表示部)
Ｓ  演出領域
【図１】
0006046001.tif 000002
【図２】
0006046001.tif 000003
【図３】
0006046001.tif 000004
【図４】
0006046001.tif 000005
【図５】
0006046001.tif 000006
【図６】
0006046001.tif 000007
【図７】
0006046001.tif 000008
【図８】
0006046001.tif 000009
【図９】
0006046001.tif 000010
【図１０】
0006046001.tif 000011
【図１１】
0006046001.tif 000012
【図１２】
0006046001.tif 000013
【図１３】
0006046001.tif 000014
【図１４】
0006046001.tif 000015
【図１５】
0006046001.tif 000016
【図１６】
0006046001.tif 000017
【図１７】
0006046001.tif 000018
【図１８】
0006046001.tif 000019
【図１９】
0006046001.tif 000020
【図２０】
0006046001.tif 000021
【図２１】
0006046001.tif 000022